(57)【要約】【課題】多少ズレた状態で着用されても、身体形状へのフィット性に優れることで着用者の肌との間に隙間を生じ難く、肌側シートの表面を流れる液流れを防止し、十分な吸収性能が発現できる吸収性物品を提供すること。【解決手段】本発明の吸収性物品１は、肌側シート２、非肌側シート３と、これら両シート２，３間に介在された吸収性コア４１とを備える。吸収性コア４１は、前方区域Ａ側に位置する第一領域４１Ｆ及び後方区域Ｃ側に位置する第二領域４１Ｒとの間に中間領域４１Ｍを有し、中間領域４１Ｍに第一領域４１Ｆ及び第二領域４１Ｒよりも厚みの厚い肉厚部４２を備える。肉厚部４２は、吸収性コア４１の横方向における長さが最大となる最大幅部を有する。肌側シート２は、吸収性コア４１における肉厚部４２の輪郭周辺の位置に配される境界部ＢＬに対応する位置において肌側シート２が屈曲される起因となる可撓軸ＫＬを有する。【選択図】図８
2018079307.tif 000002
【特許請求の範囲】
【請求項１】
肌対向面側に配された液透過性の肌側シートと、非肌対向面側に配された液不透過性の非肌側シートと、これら両シート間に配された、着用者の前後方向に対応する縦方向に長い形状の吸収性コアとを備え、前方区域及び後方区域を有する吸収性物品であって、
前記吸収性コアは、前記前方区域側に位置する第一領域及び前記後方区域側に位置する第二領域との間に中間領域を有し、該中間領域には、該第一領域及び該第二領域における厚みよりも、厚みの厚い肉厚部を備えており、
前記肉厚部は、前記吸収性コアを平面視して、該吸収性コアの前記縦方向と直交する横方向における長さが最大となる最大幅部を有し、該最大幅部での横方向の長さが、前記吸収性コアの該横方向の長さと同じであり、
前記吸収性コアは、該吸収性コアにおける前記肉厚部の輪郭周辺の位置に境界部を有し、
前記肌側シートは、前記吸収性コアにおける前記境界部に対応する位置において該肌側シートが屈曲される起因となる可撓軸を有している、吸収性物品。
【請求項２】
前記吸収性コアの前記境界部は、前記中間領域に前記肉厚部と該肉厚部以外の部分とを区画する、肉厚境界溝部を有し、
前記肉厚境界溝部は、前記吸収性コアの横方向の全長に亘って配されている、請求項１に記載の吸収性物品。
【請求項３】
前記肌側シートは、不織布で形成されており、
前記可撓軸は、前記不織布の厚みが、周囲の厚みよりも薄くなっている部分を繋いだ仮想線上に延びている、請求項１又は２に記載の吸収性物品。
【請求項４】
前記肌側シートは、不織布で形成されており、
前記肌側シートの前記可撓軸は、前記不織布の構成繊維が圧縮され、構成繊維の密度が、周囲部の密度よりも高くなっている部分を繋いだ仮想線上に延びている、請求項１〜３の何れか１項に記載の吸収性物品。
【請求項５】
前記肌側シートの前記可撓軸は、前記吸収性物品を平面視して、複数配されており、複数の該可撓軸が前記吸収性コアの前記境界部と交差している、請求項１〜４の何れか１項に記載の吸収性物品。
【請求項６】
前記肌側シートは、肌対向面側に複数の肌側突出部を有する凹凸構造のシートであり、該肌側突出部どうしの間の凹部の繊維密度が該肌側突出部の頂部の繊維密度よりも高い、請求項１〜５の何れか１項に記載の吸収性物品。
【請求項７】
前記肌側シートは、肌対向面側に複数の肌側突出部を有する凹凸構のシートであり、記肌側突出部の頂部における高さが、前記吸収性コアにおける前記肉厚部と前記第一領域又は前記第二領域とによる段差以上である、請求項１〜６の何れか１項に記載の吸収性物品。
【請求項８】
前記肌側シートは、肌対向面側に複数の肌側突出部を有する凹凸構造のシートであり、該凹凸構造のシートは、熱収縮性繊維或いは熱伸長性繊維を有している、請求項１〜７の何れか１項に記載の吸収性物品。
【請求項９】
前記肌側シートは、肌対向面側に複数の肌側突出部を有する凹凸構造のシートであり、該肌側突出部は、該肌側シートを平面視して、散点状に配されている、請求項１〜８の何れか１項に記載の吸収性物品。
【請求項１０】
前記肌側シートは、肌対向面側に複数の肌側突出部を有する凹凸構造のシートであり、該シートは、肌対向面を形成する第１層と前記吸収性コア側に配される第２層とが積層されて部分的に接合されており、
前記第２層の繊維密度が前記第１層の繊維密度よりも高い、請求項１〜９の何れか１項に記載の吸収性物品。
【請求項１１】
前記肌側シートは、肌対向面側に複数の肌側突出部を有する凹凸構造のシートであり、該肌側突出部の内部が中実である、請求項１〜１０の何れか１項に記載の吸収性物品。
【請求項１２】
前記肌側シートは、肌対向面側に複数の肌側突出部を有する凹凸構造のシートであり、該肌側突出部は、一方向に連続して延びている、請求項１〜１１の何れか１項に記載の吸収性物品。
【請求項１３】
前記肉厚部は、前記吸収性コアを平面視して、該吸収性コアの縦方向に直交する横方向の全長に亘って延在し且つ該吸収性コアの縦方向に沿う両側縁に従って縦方向に所定の長さに延在する肉厚中央部を有しており、該肉厚中央部の縦方向の前端部から前記第一領域側に向かって前記最大幅部よりも横方向の長さが狭くなっている前方側凸部、又は、該肉厚中央部の縦方向の後端部から前記第二領域側に向かって前記最大幅部よりも横方向の長さが狭くなっている後方側凸部を備えている、請求項１〜１２の何れか１項に記載の吸収性物品。
【請求項１４】
前記肉厚部は、前記前方側凸部及び前記後方側凸部を有している請求項１３に記載の吸収性物品。
【請求項１５】
前記吸収性コアの前記境界部は、前記中間領域に前記肉厚部と該肉厚部以外の部分との境界を区画する、肉厚境界溝部を有し、
前記吸収性コアは、前記中間領域における前記肉厚部及び前記肉厚境界溝部を除く領域に肉厚隣接部を有し、
前記肉厚隣接部は、その坪量が、前記肉厚部の坪量より小さく、且つ、前記肉厚境界溝部の坪量よりも大きい請求項１〜１４の何れか１項に記載の吸収性物品。
【請求項１６】
前記肉厚部は、前記吸収性コアを平面視して、該吸収性コアの縦方向に直交する横方向の全長に亘って延在し且つ該吸収性コアの縦方向に沿う両側縁に従って縦方向に所定の長さに延在する肉厚中央部、該肉厚中央部の縦方向の前端部から前記第一領域側に向かって凸の１個の前方側凸部、及び該肉厚中央部の縦方向の後端部から前記第二領域側に向かって凸の１個の後方側凸部を有しており、
前記前方側凸部は、該前方側凸部を形成する両側辺が、それぞれ、該前方側凸部の頂部から前記吸収性コアの縦方向に沿う側縁に亘って延びており、前記境界部が直線形状に延びており、
前記後方側凸部は、該後方側凸部を形成する両側辺が、それぞれ、該後方側凸部の頂部から前記吸収性コアの縦方向に沿う側縁に亘って延びており、前記境界部が直線形状に延びている、請求項１〜１５の何れか１項に記載の吸収性物品。
【請求項１７】
前記肉厚部は、前記吸収性コアを平面視して、該吸収性コアの縦方向に直交する横方向の全長に亘って延在し且つ該吸収性コアの縦方向に沿う両側縁に従って縦方向に所定の長さに延在する肉厚中央部、該肉厚中央部の縦方向の前端部から前記第一領域側に向かって凸の１個の前方側凸部、及び該肉厚中央部の縦方向の後端部から前記第二領域側に向かって凸の１個の後方側凸部を有しており、
前記吸収性物品を個装形態に折り畳む際に生じる横方向に横断する折曲線が、前記前方側凸部を形成する両側辺に沿って延びる前記境界部、或いは前記後方側凸部を形成する両側辺に沿って延びる前記境界部と交差する位置に配されている、請求項１〜１６の何れか１項に記載の吸収性物品。
【請求項１８】
前記肉厚部は、前記吸収性コアを平面視して、該吸収性コアの縦方向に直交する横方向の全長に亘って延在し且つ該吸収性コアの縦方向に沿う両側縁に従って縦方向に所定の長さに延在する肉厚中央部、該肉厚中央部の縦方向の前端部から前記第一領域側に向かって凸の１個の前方側凸部、及び該肉厚中央部の縦方向の後端部から前記第二領域側に向かって凸の１個の後方側凸部を有しており、
前記吸収性物品は、前記肌側シートと前記吸収性コアとが圧搾一体化された線状圧搾溝として、前記吸収性コアの縦方向に延びる一対の圧搾溝を有しており、
前記圧搾溝が、前記前方側凸部を形成する両側辺に沿って延びる前記境界部、或いは前記後方側凸部を形成する両側辺に沿って延びる前記境界部と交差する位置に配されている、請求項１〜１７の何れか１項に記載の吸収性物品。
【請求項１９】
前記肌側シートは、肌対向面側に複数の肌側突出部を有する凹凸構造のシートであり、
前記肉厚部は、前記吸収性コアを平面視して、該吸収性コアの縦方向に直交する横方向の全長に亘って延在し且つ該吸収性コアの縦方向に沿う両側縁に従って縦方向に所定の長さに延在する肉厚中央部、該肉厚中央部の縦方向の前端部から前記第一領域側に向かって凸の１個の前方側凸部、及び該肉厚中央部の縦方向の後端部から前記第二領域側に向かって凸の１個の後方側凸部を有しており、
前記肉厚中央部は、断面視において、横方向の中央部から縦方向に沿う両側部に向かって、その坪量が小さくなるように形成されており、
前記前方側凸部の頂部、又は前記後方側凸部の頂部に対応する位置に、前記肌側シートの前記肌側突出部が配されている、請求項１〜１８の何れか１項に記載の吸収性物品。
【請求項２０】
前記肌側シートは、肌対向面側に複数の肌側突出部を有する凹凸構造のシートであり、
前記肉厚部は、前記吸収性コアを平面視して、該吸収性コアの縦方向に直交する横方向の全長に亘って延在し且つ該吸収性コアの縦方向に沿う両側縁に従って縦方向に所定の長さに延在する肉厚中央部、該肉厚中央部の縦方向の前端部から前記第一領域側に向かって凸の１個の前方側凸部、及び該肉厚中央部の縦方向の後端部から前記第二領域側に向かって凸の１個の後方側凸部を有しており、
前記肉厚中央部は、断面視において、横方向の中央部から縦方向に沿う両側部に向かって、その高さが小さくなるように形成されており、
前記前方側凸部の頂部、又は前記後方側凸部の頂部に対応する位置に、前記肌側シートの前記肌側突出部が配されている、請求項１〜１９の何れか１項に記載の吸収性物品。
【請求項２１】
前記吸収性コアの前記第一領域及び前記第二領域には、横方向に延びる溝部が配置され、該溝部の坪量は、該第一領域及び該第二領域における該溝部以外の部分より前記吸収性コアの形成材料の坪量が低い、請求項１〜２０の何れか１項に記載の吸収性物品。
【請求項２２】
前記吸収性コアの前記第一領域及び前記第二領域には、縦方向に延びる溝部が配置され、該溝部の坪量は、該第一領域及び該第二領域における該溝部以外の部分より前記吸収性コアの形成材料の坪量が低い、請求項１〜２１の何れか１項に記載の吸収性物品。
【請求項２３】
前記肉厚部が前記肌側シートへ向かって突出する中高部である、請求項１〜２２の何れか１項に記載の吸収性物品。
【請求項２４】
前記肉厚部が、前記非肌側シートへ向かって突出している、請求項１〜２２の何れか１項に記載の吸収性物品。
【発明の詳細な説明】
【技術分野】
【０００１】
本発明は、生理用ナプキン、失禁パッド等の吸収性物品に関する。
【背景技術】
【０００２】
従来、生理用ナプキン等の吸収性物品においては、排せつ液量が多い場合などでは、日常の生活行動の中においても液漏れに繋がる場合があった。そのため、本出願人は、吸収性物品の吸収性コアにおいて、着用者の液排泄部に対向配置される排泄対向区域の中央部分に坪量の大きい中高部分を設けることにより液漏れを防ぐ方法を提案した（例えば特許文献１）。
【０００３】
例えば、特許文献１では、吸収性物品の吸収性コアにおいて、排泄対向区域の中央部分に坪量の大きい排泄部中高領域を設け、排泄部中高領域が、長手方向に長軸を有する中央肉厚部と、中央肉厚部の長手方向に沿う両側縁それぞれから外方に膨出する側方肉厚部とを有する技術を提案した。特許文献１に記載の吸収性物品によれば、装着感の向上を図り、液漏れを防止することができる。また、装着位置が多少ズレても吸収性能を発現できる。
【先行技術文献】
【特許文献】
【０００４】
【特許文献１】特開２０１５−９７７１６号公報
【発明の概要】
【発明が解決しようとする課題】
【０００５】
しかし、特許文献１に記載の吸収性物品においては、着用の際に吸収性物品を身体の適正な位置に着用できなければ、身体の前後方向や左右の幅方向に着用位置ズレがやはり発生する場合があり、特許文献１に記載の吸収性物品の効果を十分に得られない場合があった。このように特許文献１に記載の吸収性物品には、更なる改良の余地があった。
【０００６】
したがって本発明は、前述した従来技術が有する欠点を解消し得る吸収性物品を提供することにある。
【課題を解決するための手段】
【０００７】
本発明は、肌対向面側に配された液透過性の肌側シートと、非肌対向面側に配された液不透過性の非肌側シートと、これら両シート間に配された、着用者の前後方向に対応する縦方向に長い形状の吸収性コアとを備え、前方区域及び後方区域を有する吸収性物品であって、前記吸収性コアは、前記前方区域側に位置する第一領域及び前記後方区域側に位置する第二領域との間に中間領域を有し、該中間領域には、該第一領域及び該第二領域における厚みよりも、厚みの厚い肉厚部を備えており、前記肉厚部は、前記吸収性コアを平面視して、該吸収性コアの前記縦方向と直交する横方向における長さが最大となる最大幅部を有し、該最大幅部での横方向の長さが、前記吸収性コアの該横方向の長さと同じであり、前記吸収性コアは、該吸収性コアにおける前記肉厚部の輪郭周辺の位置に境界部を有し、前記肌側シートは、前記吸収性コアにおける前記境界部に対応する位置において該肌側シートが屈曲される起因となる可撓軸を有している、吸収性物品を提供するものである。
【発明の効果】
【０００８】
本発明によれば、吸収性物品が多少ズレた状態で着用されても、身体形状へのフィット性に優れることで着用者の肌との間に隙間を生じ難く、更に、肌側シートと吸収性コアとの間に隙間が発生しにくくなることで、肌側シートの表面を流れる液流れによる横漏れを防止し、十分な吸収性能が発現できる。
【図面の簡単な説明】
【０００９】
【図１】図１は、本発明の吸収性物品の好ましい一実施形態である生理用ナプキンの肌対向面側（肌側シート側）を示す平面図である。
【図２】図２は、図１に示す生理用ナプキンの有する吸収性コアにおける肌対向面側の平面図である。
【図３】図３は、図２のＩＩＩ−ＩＩＩ線断面を模式的に示す断面図である。
【図４】図４は、図２のＩＶ−ＩＶ線断面を模式的に示す断面図である。
【図５】図５（ａ）ないし図５（ｂ）は、図１に示す生理用ナプキンの備える吸収性コアの製造工程を説明する説明図である。
【図６】図６は、図１に示す生理用ナプキンの有する肌側シートの断面図である。
【図７】図７は、図１に示す生理用ナプキンの有する肌側シートの斜視図である。
【図８】図８は、図１に示す生理用ナプキンにおける肌側シートの可撓軸と吸収性コアにおける中高部と該中高部以外の部分との境界部との関係を説明する要部拡大平面図である。
【図９】図９（ａ）は、本発明の吸収性物品の好ましい他の実施形態である生理用ナプキンの有する他の実施形態の肌側シートの断面図であり、図９（ｂ）は該肌側シートの斜視図である。
【図１０】図１０は、本発明の吸収性物品の好ましい他の実施形態である生理用ナプキンの有する別の実施形態の肌側シートの斜視図である。
【図１１】図１１は、本発明の吸収性物品における、好ましい他の実施形態の、図４相当の断面図である。
【図１２】図１２は、本発明の吸収性物品における、好ましい他の実施形態の生理用ナプキンの、図３相当の断面図である。
【発明を実施するための形態】
【００１０】
以下、本発明の吸収性物品を、その好ましい一実施形態である生理用ナプキン１（以下、「ナプキン１」とも言う。）に基づき図面を参照して説明する。図１には、本実施形態のナプキン１を肌側シート側から視た平面図が示されている。本実施形態のナプキン１は、図１に示すように、肌対向面側に配された液透過性の肌側シート２と、非肌対向面に配された非液透過性の非肌側シート３と、これら両シート２，３間に配された、着用者の前後方向に対応する縦方向Ｘに長い形状の吸収性コア４１を備え、前方区域Ａ及び後方区域Ｃを有する。ナプキン１は、図１に示すように、着用者の液排泄部に対向配置される排泄対向区域Ｂと、該排泄対向区域Ｂの縦方向Ｘの前後に配置された前方区域Ａ及び後方区域Ｃとに区分されている。
【００１１】
本明細書において、縦方向Ｘは、着用者の前後方向に対応しており、吸収性物品（ナプキン１）の長手方向に一致し、横方向Ｙは、吸収性物品（ナプキン１）の幅方向（長手方向に直交する方向）に一致している。したがって、特段の断りがない場合には、本明細書において、長手方向（縦方向Ｘ）の長さは、縦方向Ｘで測定される距離である「長さ」を意味し、横方向Ｙの長さは、横方向Ｙで測定される距離である「幅」を意味する。ナプキン１は、縦方向Ｘに延びる中心線ＣＬに対して左右対称に形成されている。縦方向Ｘとは、中心線ＣＬに平行な方向でもある。また、本明細書において、肌対向面は、吸収性物品（ナプキン１）又はその構成部材である例えば吸収体４における、吸収性物品（ナプキン１）の着用時に着用者の肌側に向けられる面であり、非肌対向面は、吸収性物品（ナプキン１）又はその構成部材である例えば吸収体４における、吸収性物品（ナプキン１）の着用時に肌側とは反対側（着衣側）に向けられる面である。
【００１２】
ナプキン１は、図１に示すように、着用時に着用者の液排泄部（膣口等）に対向配置される排泄対向区域Ｂと、該排泄対向区域Ｂよりも着用者の腹側（前側）寄りに配される前方区域Ａと、該排泄対向区域Ｂよりも着用者の背側（後側）寄りに配される後方区域Ｃとを有している。即ち、ナプキン１は、縦方向Ｘに、前方区域Ａ、排泄対向区域Ｂ及び後方区域Ｃの順番で区分される。
【００１３】
尚、本発明の吸収性物品において、排泄対向区域Ｂとは、本実施形態のナプキン１のようにウイング部１Ｗを有する場合には、縦方向Ｘにおいてウイング部１Ｗを有する領域（一方のウイング部１Ｗの縦方向Ｘに沿う付け根と他方のウイング部１Ｗの縦方向Ｘに沿う付け根とに挟まれた領域）を意味する。また、ウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１４】
本実施形態のナプキン１は、図１に示すように、肌対向面を形成する液透過性の肌側シート２、非肌対向面を形成する非肌側シート３、及びこれら両シート２，３間に介在された吸収体４を具備している。吸収体４は、吸収性コア４１と、該吸収性コア４１を包むコアラップシート（不図示）とから構成されている。吸収性コア４１は、後述するように、吸収性コア４１における肉厚部４２の輪郭周辺の位置に境界部ＢＬを有している。ここで、肉厚部４２の輪郭周辺の位置とは、肉厚部４２と肉厚部４２以外の部分との境界部周辺、言い換えれば、肉厚部４２の輪郭を含んで、内方及び外方にある程度の幅（該輪郭から内方に約６ｍｍ、該輪郭から外方に約４ｍｍ）のある部分が該輪郭に沿って延びている位置を意味する。
【００１５】
ナプキン１では、肌側シート２は、図１に示すように、吸収体４の肌対向面の全域を被覆し、吸収体４の縦方向Ｘに沿う両側縁から横方向Ｙの外方に延出している。一方、非肌側シート３は、吸収体４の非肌対向面の全域を被覆し、更に肌側シート２の縦方向Ｘに沿う両側縁から横方向Ｙの外方に延出して、後述するサイドシート５と共にサイドフラップ部１Ｓを形成している。非肌側シート３とサイドシート５とは、吸収体４の縦方向Ｘに沿う両側縁からの延出部において、接着剤、ヒートシール、超音波シール等の公知の接合手段によって互いに接合されている。尚、肌側シート２及び非肌側シート３それぞれと吸収体４との間は接着剤によって接合されていてもよい。
【００１６】
ナプキン１では、サイドシート５は、図１に示すように、肌側シート２の肌対向面における縦方向Ｘに沿う両側部に配されている。好適には、サイドシート５は、平面視において肌側シート２の縦方向Ｘに沿う左右両側部に重なるように、肌側シート２の縦方向Ｘの全長に亘って配されている。
【００１７】
ナプキン１では、一対のサイドシート５，５は、それぞれ、図１に示すように、接合部６にて肌側シート２に接合されている。曲線による横方向Ｙへの凹凸を交互に縦方向Ｘに連続して配した波状の接合部６は、平面視において、中心線ＣＬを中心として横方向Ｙに対称に一対配されている。このように、サイドシート５が、波状の接合部６にて肌側シート２に接合されて固定されると、波状に配された接合部６の接合部群よりも横方向Ｙの内方に、サイドシート５と肌側シート２とで画成される空間部が形成される。この空間部は、中心線ＣＬに向けて開口しているので、横方向Ｙの中央から外方へ流れる経血等の体液が該空間部に収容されるようになり、結果として体液の漏れが効果的に防止できる。
【００１８】
ナプキン１では、サイドフラップ部１Ｓは、図１に示すように、排泄対向区域Ｂにおいて横方向Ｙの外方に向かって大きく張り出しており、これによりナプキン１は、その縦方向Ｘに沿う左右両側に、一対のウイング部１Ｗ，１Ｗを備えるようになる。ウイング部１Ｗは、ショーツ等の着衣のクロッチ部の非肌対向面側に折り返されて用いられるものである。また、肌側シート２及び非肌側シート３は、図１に示すように、吸収体４の縦方向Ｘの前端及び後端それぞれから縦方向Ｘの外方に延出し、それらの延出部において、接着剤、ヒートシール、超音波シール等の公知の接合手段によって、互いに接合されてエンドシール部を形成している。
【００１９】
ナプキン１では、図１に示すように、肌側シート２と吸収性コア４１とが圧搾一体化された線状圧搾溝７を備えている。好適に、ナプキン１では、肌側シート２の肌対向面に、肌側シート２及び吸収体４が非肌側シート３側に向かって一体的に凹陥してなる線状圧搾溝７が形成されている。線状圧搾溝７における「線状」とは、溝（凹陥部）の形状が平面視において直線に限られず、曲線を含んでいることを意味する。尚、線状圧搾溝７は、線状に延びていれば、溝の底部の厚みが一定であってもよく、溝の底部の厚みが一定でなくてもよい。溝の底部の厚みが一定でない圧搾溝としては、例えば、圧搾溝の底部に、相対的に深く窪んでいる部分（高圧搾部）と相対的に浅く窪んでいる部分（低圧搾部）とが形成されている形態が挙げられる。線状圧搾溝７は、肌側シート２及び吸収体４に関して、構成部材である各々の繊維の密度が、該線状圧搾溝７の周囲部の密度よりも高くなっている。
【００２０】
ナプキン１では、線状圧搾溝７は、図１に示すように、吸収性コア４１の縦方向Ｘに延びる一対の縦圧搾溝７３，７３を有している。好適に、ナプキン１では、線状圧搾溝７は、吸収体４の前方区域Ａ及び後方区域Ｃに、それぞれ横方向Ｙに延びる第１横圧搾溝７１と、吸収体４の排泄対向区域Ｂの縦方向Ｘに沿う両側部に縦方向Ｘに延びる縦圧搾溝７３とを有している。ナプキン１では、第１横圧搾溝７１は、縦方向Ｘ外方に向けて凸の曲線状であり、縦圧搾溝７３は、排泄対向区域Ｂにおいて横方向Ｙ外方に向けて凸の曲線状である。第１横圧搾溝７１は、一対の縦圧搾溝７３よりも内側に、一対の縦圧搾溝７３に亘って横方向Ｙに延びている。ナプキン１では、前方区域Ａの第１横圧搾溝７１、一方の縦圧搾溝７３、後方区域Ｃの第１横圧搾溝７１、及び他方の縦圧搾溝７３が繋がってリング状の全周溝を形成している。このように形成された線状圧搾溝７は、吸収体４の平面方向への体液の拡散を抑制して、ナプキン１の周囲から液漏れを効果的に防止することができる。
【００２１】
ナプキン１では、吸収体４を構成する吸収性コア４１は、図２に示すように、縦方向Ｘの前方区域Ａ側に位置する第一領域４１Ｆ及び後方区域Ｃ側に位置する第二領域４１Ｒを有し、第一領域４１Ｆと第二領域４１Ｒとの間に中間領域４１Ｍを有している。中間領域４１Ｍには、第一領域４１Ｆ及び後方区域Ｃにおける厚みよりも厚みの厚い肉厚部４２を備えている。ナプキン１では、吸収性コア４１の中間領域４１Ｍは、排泄対向区域Ｂに配置されている。ナプキン１では、排泄対向区域Ｂに肉厚部４２を有している。
【００２２】
ナプキン１のように、横方向Ｙ両外側に一対のウイング部１Ｗを備える場合には、各ウイング部１Ｗにおける縦方向Ｘに間隔を空けて配されたウイング部１Ｗの付け根どうし間に中間領域４１Ｍが存在している。より具体的には、ナプキン１の中間領域４１Ｍは、各ウイング部１Ｗにおける縦方向Ｘに間隔を空けて配されたウイング部１Ｗの付根どうし間に亘って存在している。尚、ナプキン１の前方区域Ａの大きさと吸収性コア４１の第一領域４１Ｆの大きさとが略一致しており、ナプキン１の後方区域Ｃの大きさと吸収性コア４１の第二領域４１Ｒの大きさとが略一致している場合には、ナプキン１の中間領域４１Ｍの縦方向Ｘの長さは、各ウイング部１Ｗにおける縦方向Ｘに間隔を空けて配されたウイング部１Ｗの付根どうし間の長さと同一である。
【００２３】
また、中間領域４１Ｍは、後述する肉厚境界溝部４３を除き、中間領域４１Ｍの前方に位置する第一領域４１Ｆ及び中間領域４１Ｍの後方に位置する第二領域４１Ｒの各領域における吸収性コア４１の厚みよりも厚みが厚くなっている。ナプキン１では、吸収性コア４１は、ナプキン１の縦方向Ｘと同方向に長い形状を有する。したがって、吸収性コア４１の縦方向は、ナプキン１の縦方向Ｘと同方向であり、吸収性コア４１の横方向は、ナプキン１の横方向Ｙと同方向である。
【００２４】
中間領域４１Ｍの備える肉厚部４２は、その厚みが、図３に示すように、吸収性コア４１における第一領域４１Ｆの厚み及び第二領域４１Ｒの厚みよりも厚く形成されている。好適に、ナプキン１では、肉厚部４２は、吸収性コア４１における第一領域４１Ｆの厚みよりも厚みが厚く形成されており、且つ、吸収性コア４１における第一領域４１Ｆの坪量よりも坪量が高く形成されている。また、好適には、ナプキン１では、肉厚部４２の厚みは、吸収性コア４１における第二領域４１Ｒの厚みよりも厚みが厚く形成されており、且つ、吸収性コア４１における第二領域４１Ｒの坪量よりも坪量が高く形成されている。肉厚部４２の厚み及び坪量と比較する第一領域４１Ｆ及び第二領域４１Ｒのそれぞれの厚み及び坪量は、第一領域４１Ｆ及び第二領域４１Ｒに後述する溝部４５が形成されている場合には、第一領域４１Ｆ及び第二領域４１Ｒにおける溝部４５が存在しない部分における厚み及び坪量を意味する。ナプキン１の吸収性コア４１は、コア材料の坪量に差を設けて厚み差を設けてあるため、坪量の均一な吸収性コアの一部を圧縮して厚み差を設ける場合とは異なり、吸収性コア４１は、全体として柔軟である。なお、本実施形態の吸収性コア４１では、肉厚部は、肌側シート２へ向かって突出しており、着用者の肌側に向かって突出する、いわゆる中高部となっている。
【００２５】
肉厚部４２の厚みは、吸収性コア４１の液の吸収性等を向上させる観点から、吸収性コア４１における第一領域４１Ｆ及び第二領域４１Ｒの厚みの、好ましくは１２０％（即ち、１．２倍）以上、より好ましくは１４０％以上であり、また、好ましくは、７００％以下、より好ましくは、５００％以下であり、また、着用時における身体への追従性や違和感を抑える観点から、好ましくは１２０％以上７００％以下、より好ましくは１４０％以上５００％以下である。また、肉厚部４２の厚みと第一領域４１Ｆ又は第二領域４１Ｒの厚みとの厚みの差（前者−後者）は、好ましくは１．０ｍｍ以上、より好ましくは２．０ｍｍ以上であり、また、好ましくは８．０ｍｍ以下、より好ましくは６．０ｍｍ以下であり、また、好ましくは１．０ｍｍ以上８．０ｍｍ以下、より好ましくは２．０ｍｍ以上６．０ｍｍ以下である。上述した構成は、本実施形態のナプキン１のように肉厚部４２が排泄対向区域Ｂに設けられているときに、特に有効である。また、上述した構成は、肉厚部４２が中高部であるときには、中高部が肌に向かって突出することで吸収性能を向上させる観点からも好ましい。
具体的に、肉厚部４２の厚みは、好ましくは２．０ｍｍ以上、より好ましくは３．０ｍｍ以上であり、また、好ましくは１０．０ｍｍ以下、より好ましくは７．０ｍｍ以下であり、また、好ましくは２．０ｍｍ以上１０．０ｍｍ以下、より好ましくは３．０ｍｍ以上７．０ｍｍ以下である。尚、肉厚部４２の全範囲において上記厚みの関係になっていることが好ましいが、肉厚部４２の厚み方向に増減が設けられているような場合においては、最も厚い部分において上記の関係となっていればよい。
尚、肉厚部４２の全範囲において上記厚みの関係になっていることが好ましいが、肉厚部４２の厚み方向において、横方向Ｙ又は縦方向Ｘ又は、その両方向に漸次的な厚み増減が設けられているような場合においては、最も厚い部分において上記の関係となっていればよい。
具体的に、第一領域４１Ｆ又は第二領域４１Ｒの厚みは、好ましくは０．５ｍｍ以上、より好ましくは１．０ｍｍ以上であり、また、好ましくは７．０ｍｍ以下、より好ましくは３．５ｍｍ以下であり、また、好ましくは０．５ｍｍ以上７．０ｍｍ以下、より好ましくは１．０ｍｍ以上３．５ｍｍ以下である。
ナプキン１では、第一領域４１Ｆ又は第二領域４１Ｒの厚みは、後述する溝部４５が存在しない部分において、略均一に形成されていることが好ましいが、第一領域４１Ｆ又は第二領域４１Ｒの横方向Ｙ又は縦方向Ｘに漸次的な厚みの増減が設けられているような場合においては、最も厚い部分において上記の関係となっていればよい。
肉厚部４２、第一領域４１Ｆ又は第二領域４１Ｒ、後述する肉厚隣接部４４等の吸収性コア４１の各部の厚みは、以下の方法によって測定される。
【００２６】
＜吸収性コア４１の各部の厚みの測定方法＞
吸収性コアを水平な場所にシワや折れ曲がりがないように静置し、該吸収性コア４１から測定対象物である肉厚部４２、第一領域４１Ｆ又は第二領域４１Ｒ等を切り出す。そして、切り出した測定対象物における５ｃＮ／ｃｍ２の荷重下での厚みを測定する。具体的には、厚みの測定に、例えば、厚み計 PEACOCK DIAL UPRIGHT GAUGES R5-C（OZAKI MFG.CO.LTD.製）を用いる。このとき、厚み計の先端部と切り出した測定対象物との間に、荷重が５ｃＮ／ｃｍ２となるように大きさを調整した平面視円形状又は正方形状のプレート（厚さ５ｍｍ程度のアクリル板）を配置して、厚みを測定する。吸収性コア４１における第一領域４１Ｆ又は第二領域４１Ｒ等の厚みを測定する際には、後述する溝部４５を含まないように測定する。
【００２７】
ナプキン１では、吸収性コア４１における肉厚部４２の坪量は、肉厚部４２を肌に向かって突出させ、排泄対向区域Ｂにおける吸収性コアの液の吸収性等を向上させる観点から、好ましくは１００ｇ／ｍ２以上、より好ましくは２００ｇ／ｍ２以上であり、そして、好ましくは１５００ｇ／ｍ２以下、より好ましくは１２００ｇ／ｍ２以下であり、具体的には、好ましくは１００ｇ／ｍ２以上１５００ｇ／ｍ２以下、より好ましくは２００ｇ／ｍ２以上１２００ｇ／ｍ２以下である。また、吸収性コア４１における第一領域４１Ｆの坪量又は第二領域４１Ｒの坪量は、好ましくは５０ｇ／ｍ２以上、より好ましくは１００ｇ／ｍ２以上であり、そして、好ましくは１０００ｇ／ｍ２以下、より好ましくは９００ｇ／ｍ２以下であり、具体的には、好ましくは５０ｇ／ｍ２以上１０００ｇ／ｍ２以下、より好ましくは１００ｇ／ｍ２以上９００ｇ／ｍ２以下である。第一領域４１Ｆの坪量又は第二領域４１Ｒの坪量は、上述した吸収性コア４１の各部の厚みの測定方法で説明したように切り出した第一領域４１Ｆ又は第二領域４１Ｒのサンプルの質量を、そのサンプルの肌対向面側の面の面積で除して求める。吸収性コア４１における第一領域４１Ｆの坪量又は第二領域４１Ｒ等の坪量を測定する際には、後述する溝部４５を含まないように測定する。
【００２８】
肉厚部４２は、図２に示すように吸収性コア４１を平面視して、吸収性コア４１の縦方向Ｘと直交する横方向Ｙにおける長さが最大となる最大幅部を有し、該最大幅部の横方向Ｙの長さが、吸収性コア４１の横方向Ｙの長さと同じである。好適には、肉厚部４２は、図２に示すように吸収性コア４１を平面視して、肉厚部４２の最大幅部が吸収性コア４１の縦方向Ｘに沿う両側縁に従って縦方向Ｘに所定の長さに延在して形成される肉厚中央部４２１を有している。言い換えれば、肉厚中央部４２１は、吸収性コア４１の縦方向Ｘに沿う両側縁４１ｓ，４１ｓ間に亘って帯状に延在しており、帯状の肉厚中央部４２１における縦方向Ｘの全長に亘って肉厚部４２の前記最大幅部を有している。肉厚中央部４２１の最大幅部の横方向Ｙの長さは、吸収性コア４１の幅と同一となっている。尚、ここで吸収性コア４１の幅とは、肉厚部４２を含めた吸収性コア４１の幅を意味する。すなわち、図２のように中高部としての肉厚部４２を例にとると、肉厚部４２を横方向Ｙに断面視したとき、隣接する第一領域４１Ｆ及び第二領域４１Ｒの肌当接面側の表面の高さ位置よりも、肌当接面側に位置する肉厚部４２の幅（肌側幅）が、非肌当接面側に位置する肉厚部４２の幅（非肌側幅）と同じ又は大きければ、肉厚部４２の最大幅は吸収性コア４１の幅と同一である。肉厚部４２の最大幅部は肌側幅と非肌側幅が略同一であることが望ましく、特に厚み方向に略均一であることが望ましい。吸収性コア４１は、吸収性物品が多少ズレた状態で着用されても、十分な吸収性能が発現できるように、肉厚中央部４２１の面積をできるかぎり広くすることが好ましい。このような観点から、肉厚中央部４２１は、最大幅部において、吸収性コア４１の縦方向Ｘに沿う両側縁４１ｓ，４１ｓ間は、一定の間隔であることが好ましく、両側縁４１ｓ，４１ｓはそれぞれ、縦方向Ｘに平行であり、且つ直線状となっていることがより好ましい。ただし、製造時における、吸収性コア４１における肉厚部４２の横方向Ｙの位置ズレ、肉厚部４２の欠け、生産方法に起因する型の抜き傾斜、端部の丸めや面取り等により、肉厚部４２の幅と吸収性コア４１の幅とが多少異なる程度、例えば、最大幅部の幅の５％程度の差の範囲であれば同一の幅とする。最大幅とは横方向Ｙにおける最も長い位置での距離を意味する。尚、図２においては、肉厚部４２の横方向Ｙにおける最大幅部での横方向Ｙの長さが、吸収性コア４１の中間領域４１Ｍにおける横方向Ｙの最大長さと同じであり、吸収性コア４１の横方向Ｙの最大長さと同じである。
【００２９】
ナプキン１では、肉厚部４２は、図２に示すように、吸収性コア４１の縦方向Ｘと直交する横方向Ｙの全長に亘って延在し且つ吸収性コア４１の縦方向Ｘに沿う両側縁４１ｓ，４１ｓに従って縦方向Ｘに所定の長さに延在する肉厚中央部４２１を有している。肉厚部４２は、肉厚中央部４２１から前方区域Ａ側又は後方区域Ｃ側に向かって肉厚部４２の前記最大幅部よりも横方向Ｙの長さが狭くなっている前方側凸部４２２又は後方側凸部４２３を備えていることが好ましく、ナプキン１では、肉厚中央部４２１の縦方向Ｘの前端部から第一領域４１Ｆ側に向かって凸の１個の前方側凸部４２２、及び肉厚中央部４２１の縦方向Ｘの後端部から第二領域４１Ｒ側に向かって凸の１個の後方側凸部４２３を有している。即ち、ナプキン１では、肉厚部４２は、前方側凸部４２２、肉厚中央部４２１及び後方側凸部４２３に区分されている。ナプキン１では、肉厚部４２の肉厚中央部４２１は、図２に示すように、吸収性コア４１の縦方向Ｘに沿う両側縁４１ｓ，４１ｓ間に亘って帯状に延在しており、排泄対向区域Ｂ内に配されている。
【００３０】
肉厚部４２の肉厚中央部４２１は、ナプキン１では、図４に示すように断面視して、横方向Ｙの中央部から縦方向Ｘに沿う両側縁部に向かって、その厚みが薄くなるように形成（本実施形態では、高さが低くなるよう形成）されている。即ち、肉厚中央部４２１における縦方向Ｘに延びる中心線ＣＬ上に配された中央部が、最も厚みが厚く形成（本実施形態では、最も高さが高く形成）されている。このように肉厚中央部４２１が形成されていると、排泄対向区域Ｂにおける液の吸収性等を向上させることができる。
【００３１】
肉厚部４２の肉厚中央部４２１は、ナプキン１では、図４に示すように断面視して、横方向Ｙの中央部から縦方向Ｘに沿う両側縁部に向かって、その坪量が小さくなるように形成されている。即ち、肉厚中央部４２１における縦方向Ｘに延びる中心線ＣＬ上に配された中央部が、最も坪量が大きく形成されている。このように肉厚中央部４２１が形成されていると、排泄対向区域Ｂにおける液の吸収性等を向上させることができる。
【００３２】
ナプキン１の肉厚中央部４２１は、図４に示すように断面視して、中心線ＣＬ上に配された中央部の厚み（高さＴ１）の、最も厚み（高さ）の小さい側縁４１ｓでの厚み（高さＴ２）に対する比（Ｔ１／Ｔ２）は、排泄部に肉厚部４２が可能な限り隙間なく密着できる観点から、１．１以上、特に１．３以上であることが好ましく、また、着用時の違和感を与え難くする観点から、４以下、特に３以下であることが好ましく、具体的には、１．１以上４以下、特に１．３以上３以下であることが好ましい。
また、ナプキン１の肉厚中央部４２１は、ナプキン１に思わぬシワや折れが生じさせない観点から、少なくとも肌当接面側に、吸収性コア４１における第一領域４１Ｆ及び第二領域４１Ｒの坪量よりも坪量が低い凹部を有さない形態となっている。ここで、第一領域４１Ｆ及び第二領域４１Ｒの坪量とは、第一領域４１Ｆ及び第二領域４１Ｒが溝部４５を有する場合には、溝部４５を除いた部分の坪量を意味する。
【００３３】
また、ナプキン１では、図２に示すように、第一領域４１Ｆ側に向かって凸の前方側凸部４２２は、肉厚中央部４２１の前端部に１個配されている。ナプキン１では、前方側凸部４２２は、前方側凸部４２２の頂部４２２ｔが縦方向Ｘに延びる中心線ＣＬ上に配されており、前方側凸部４２２を形成する両側辺４２２ｓ，４２２ｓが、それぞれ、頂部４２２ｔから吸収性コア４１の縦方向Ｘに沿う側縁４１ｓに亘って直線形状に延びている。その為、ナプキン１では、肉厚部４２の輪郭周辺の位置に配される境界部ＢＬが、中間領域４１Ｍの第一領域４１Ｆ側において、直線形状に延びており、後述する前方肉厚境界溝部４３ａも直線形状に延びている。境界部ＢＬは、ナプキン１では、前方肉厚境界溝部４３ａを含んでいる。
【００３４】
また、ナプキン１では、図２に示すように、第二領域４１Ｒ側に向かって凸の後方側凸部４２３は、肉厚中央部４２１の後端部に１個配されている。ナプキン１では、後方側凸部４２３は、前方側凸部４２２と同様に、後方側凸部４２３の頂部４２３ｔが縦方向Ｘに延びる中心線ＣＬ上に配されており、後方側凸部４２３を形成する両側辺４２３ｓ，４２３ｓが、それぞれ、頂部４２３ｔから吸収性コア４１の縦方向Ｘに沿う側縁４１ｓに亘って直線形状に延びている。その為、ナプキン１では、中間領域４１Ｍの第二領域４１Ｒ側において、肉厚部４２と肉厚部４２の輪郭周辺の位置に配される境界部ＢＬが、直線形状に延びており、後述する後方肉厚境界溝部４３ｃも直線形状に延びている。境界部ＢＬは、ナプキン１では、後方肉厚境界溝部４３ｃを含んでいる。
【００３５】
ナプキン１は、図１に示すように、横方向Ｙ両外側に一対のウイング部１Ｗ，１Ｗを備えている。そして、ナプキン１では、一対のウイング部１Ｗ，１Ｗにおける前方区域Ａ側に位置する付け根どうしを結ぶ前方側仮想線ＩＬａが、前方側凸部４２２を形成する両側辺４２２ｓ，４２２ｓに沿って延びる境界部ＢＬと交差している。また、一対のウイング部１Ｗ，１Ｗにおける後方区域Ｃ側に位置する付け根どうしを結ぶ後方側仮想線ＩＬｃが、後方側凸部４２３を形成する両側辺４２３ｓ，４２３ｓに沿って延びる境界部ＢＬと交差している。言い換えれば、ナプキン１では、ナプキン１を３つ折りの個装形態に折り畳む際に生じる、ナプキン１を横方向Ｙに横断する２本の折曲線（図示せず）について、ナプキン１の縦方向Ｘの前端から数えて１番目の第１折曲線が、前方側凸部４２２を形成する両側辺４２２ｓ，４２２ｓに沿って延びる境界部ＢＬと交差する位置に配されている。また、ナプキン１の縦方向Ｘの前端から数えて２番目の第２折曲線が後方側凸部４２３を形成する両側辺４２３ｓ，４２３ｓに沿って延びる境界部ＢＬと交差する位置に配されている。このような位置にナプキン１を個装形態に折り畳む際に生じる折曲線を配することによって、直線形状に延びている境界部ＢＬを伝って、横方向Ｙ側端に向かって流れる体液の流れを防止できる。ナプキン１では、前記第１折曲線が前方側凸部４２２の境界部ＢＬと交差する位置に配され、前記第２折曲線が後方側凸部４２３の境界部ＢＬと交差する位置に配されているが、前記第１折曲線及び前記第２折曲線の少なくとも一方がこのような位置に配されていることが好ましい。
【００３６】
ナプキン１は、図１に示すように、線状圧搾溝７を備えており、線状圧搾溝７が縦方向Ｘに延びる一対の縦圧搾溝７３，７３を有している。そして、一対の縦圧搾溝７３，７３が、前方側凸部４２２を形成する両側辺４２２ｓ，４２２ｓに沿って延びる境界部ＢＬ、及び後方側凸部４２３を形成する両側辺４２３ｓ，４２３ｓに沿って延びる境界部ＢＬと交差する位置に配されている。このような位置に一対の縦圧搾溝７３，７３を配することによって、直線形状に延びている境界部ＢＬを伝って、横方向Ｙ側端に向かって流れる体液の流れを防止できる。ナプキン１では、一対の縦圧搾溝７３，７３が前方側凸部４２２の境界部ＢＬ及び後方側凸部４２３の境界部ＢＬと交差する位置に配されているが、他の線状圧搾溝７でもよく、前方側凸部４２２の境界部ＢＬ及び後方側凸部４２３の境界部ＢＬの少なくとも一方と交差する位置に配されていることが好ましい。
【００３７】
ナプキン１では、図２に示すように吸収性コア４１を平面視して、前方側凸部４２２は肉厚中央部４２１から第一領域４１Ｆ側に向かって横方向Ｙの長さが漸次狭くなっており、後方側凸部４２３は肉厚中央部４２１から第二領域４１Ｒ側に向かって横方向Ｙの長さが漸次狭くなっている。即ち、吸収性コア４１における前方側凸部４２２及び後方側凸部４２３は、それぞれ、縦方向Ｘに沿う両側部から横方向Ｙの中央部に位置する頂部４２２ｔ，４２３ｔに向かって、その幅ｄが漸減するように形成されている。好適に、ナプキン１の吸収性コア４１における前方側凸部４２２では、両側辺４２２ｓ，４２２ｓの間隔（幅ｄ）が、吸収性コア４１の縦方向Ｘに沿う両側縁４１ｓ，４１ｓから頂部４２２ｔに向かって漸減している。同様に、ナプキン１の吸収性コア４１における後方側凸部４２３では、両側辺４２３ｓ，４２３ｓの間隔（幅ｄ）が、吸収性コア４１の縦方向Ｘに沿う両側縁４１ｓ，４１ｓから頂部４２３ｔに向かって漸減している。ここで、幅ｄが漸減しているとは、頂部４２２ｔ，４２３ｔに向かって幅ｄが連続的に少しずつ減少していることである。
【００３８】
ナプキン１における吸収性コア４１では、前方側凸部４２２及び後方側凸部４２３の内の前方側凸部４２２を例に挙げて説明すると、両側辺４２２ｓ，４２２ｓがそれぞれ屈曲せずに真っ直ぐに延びている。一方の側辺４２２ｓと縦方向Ｘに延びる中心線ＣＬとのなす角αは、身体形状へのフィット性及び動きの中での追従性向上の観点から、好ましくは２０°以上、より好ましくは３０°以上であり、そして、好ましくは７５°以下、より好ましくは６０°以下であり、具体的には、好ましくは２０°以上７５°以下、より好ましくは３０°以上６０°以下である。後方側凸部４２３も前方側凸部４２２と同様である。
【００３９】
肉厚部４２の縦方向Ｘの全長Ｌ２は、吸収性コア４１の縦方向Ｘの全長Ｌ１の、好ましくは２５％以上、より好ましくは３０％以上であり、また、好ましくは９０％以下、より好ましくは７５％以下であり、また、好ましくは２５％以上９０％以下、より好ましくは３０％以上７５％以下である。
尚、全長Ｌ１とは吸収性コア４１の縦方向Ｘにおける最も長い位置での距離を示し、全長Ｌ２とは肉厚部４２の縦方向Ｘにおける最も長い位置での距離を意味する。
【００４０】
肉厚部４２を構成する肉厚中央部４２１の縦方向Ｘの全長Ｌ３は、肉厚部４２の全長Ｌ２の好ましくは２０％以上、より好ましくは３０％以上であり、また、好ましくは８０％以下、より好ましくは７０％以下であり、また、好ましくは２０％以上８０％以下、より好ましくは３０％以上７０％以下である。
【００４１】
肉厚部４２を構成する前方側凸部４２２の縦方向Ｘの全長Ｌ４は、肉厚部４２の全長Ｌ２の、好ましくは５％以上、より好ましくは１０％以上であり、また、好ましくは５０％以下、より好ましくは３０％以下であり、また、好ましくは、５％以上５０％以下、より好ましくは１０％以上３０％以下である。肉厚部４２を構成する後方側凸部４２３の縦方向Ｘ全長も、前方側凸部４２２の縦方向Ｘの全長Ｌ４と同様である。
尚、全長Ｌ４とは前方側凸部４２２の縦方向Ｘにおける最も長い位置での距離を意味する。
【００４２】
ナプキン１では、図２に示すように、吸収性コア４１は、肉厚部４２の輪郭周辺の位置に配される境界部ＢＬを有しており、境界部ＢＬは、中間領域４１Ｍに肉厚部４２と肉厚部４２以外の部分との境界を区画する肉厚境界溝部４３を有している。肉厚境界溝部４３は、ナプキン１では、肉厚部４２を構成する前方側凸部４２２を形成する両側辺４２２ｓ，４２２ｓに沿って延在する前方肉厚境界溝部４３ａと、後方側凸部４２３を形成する両側辺４２３ｓ，４２３ｓに沿って延在する後方肉厚境界溝部４３ｃとを有している。前方肉厚境界溝部４３ａと後方肉厚境界溝部４３ｃは、吸収性コア４１の横方向Ｙの全長（全幅）に亘り形成されている。このため、脚部からの吸収性コア４１の幅方向の内側に働く力に対し、ナプキン１の縦方向に縦シワが生じ難く、ナプキン１が身体の形状に沿って３次元的にフィットし易くなる。このように、吸収性コア４１では、前方肉厚境界溝部４３ａと後方肉厚境界溝部４３ｃとによって肉厚部４２との境界を区画している。
【００４３】
ナプキン１では、吸収性コア４１における肉厚境界溝部４３の溝幅は、排泄対向区域Ｂにおける液の吸収性等を向上させる観点から、好ましくは、０．１ｍｍ以上、より好ましくは、０．５ｍｍ以上であり、また、好ましくは、５．０ｍｍ以下、より好ましくは、３．０ｍｍ以下であり、また、好ましくは０．１ｍｍ以上５．０ｍｍ以下、より好ましくは、０．５ｍｍ以上３．０ｍｍ以下である。尚、肉厚境界溝部４３の溝幅及び後述する厚みは、肉厚境界溝部４３の延びる方向に直交する方向に切断し、切端面の写真から計測する。
ナプキン１では、吸収性コア４１における肉厚境界溝部４３での厚みは、排泄対向区域Ｂにおける液の吸収性等を向上させる観点から、好ましくは、０．０８ｍｍ以上、より好ましくは、０．１５ｍｍ以上、また、好ましくは、７．０ｍｍ以下、より好ましくは、３．５ｍｍ以下であり、また、好ましくは、０．０８ｍｍ以上、７．０ｍｍ以下、より好ましくは、０．１５ｍｍ以上３．５ｍｍ以下である。
【００４４】
ナプキン１では、肉厚境界溝部４３は、肉厚部４２の坪量よりも低く、更に、吸収性コア４１における第一領域４１Ｆの坪量及び第二領域４１Ｒの坪量よりも坪量が低く形成されている。ここで、第一領域４１Ｆの坪量及び第二領域４１Ｒの坪量とは、溝部４５を有する場合には、溝部４５を除いた部分の坪量を意味する。肉厚境界溝部４３の坪量は、好ましくは１０ｇ／ｍ２以上、より好ましくは２０ｇ／ｍ２以上であり、そして、好ましくは３５０ｇ／ｍ２以下、より好ましくは２５０ｇ／ｍ２以下であり、具体的には、好ましくは１０ｇ／ｍ２以上３５０ｇ／ｍ２以下、より好ましくは２０ｇ／ｍ２以上２５０ｇ／ｍ２以下である。尚、肉厚境界溝部４３の坪量は、上述した吸収性コア４１の各部の厚みの測定方法で説明したように切り出した肉厚境界溝部４３の部分のサンプルの質量を、そのサンプルの肌対向面側の面の面積で除して求める。
【００４５】
ナプキン１では、吸収性コア４１は、図２に示すように、その中間領域４１Ｍにおける肉厚部４２を除き、更に、肉厚境界溝部４３を除く領域に、肉厚隣接部４４を有している。即ち、ナプキン１では、吸収性コア４１における中間領域４１Ｍが、肉厚部４２、肉厚境界溝部４３、及び肉厚隣接部４４からなっている。また、境界部ＢＬは、肉厚部４２の輪郭周辺の位置に配されており、肉厚隣接部４４の一部が含まれている。肉厚隣接部４４は、中間領域４１Ｍにおいて、肉厚部４２を構成する前方側凸部４２２に隣接する第一領域４１Ｆ側に配された前方肉厚隣接部４４ａと、肉厚部４２を構成する後方側凸部４２３に隣接する第二領域４１Ｒ側に配された後方肉厚隣接部４４ｃとを有している。前方肉厚隣接部４４ａは、縦方向Ｘに延びる中心線ＣＬに対して左右対称に形成されている。前方肉厚隣接部４４ａにおける、中心線ＣＬよりも吸収性コア４１の縦方向Ｘに沿う一方の側縁４１ｓ側の半分の部分は、縦方向Ｘの長さが、該一方の側縁４１ｓから中心線ＣＬに向かって漸減するように形成されている。後方肉厚隣接部４４ｃも、前方肉厚隣接部４４ａと同様に、縦方向Ｘに延びる中心線ＣＬに対して左右対称に形成されている。後方肉厚隣接部４４ｃにおける、中心線ＣＬよりも吸収性コア４１の縦方向Ｘに沿う一方の側縁４１ｓ側の半分の部分は、縦方向Ｘの長さが、該一方の側縁４１ｓから中心線ＣＬに向かって漸減するように形成されている。
【００４６】
ナプキン１では、肉厚隣接部４４は、図３に示すように、その厚みが、肉厚境界溝部４３の厚みよりも大きく、且つ、吸収性コア４１における肉厚部４２の厚みよりも小さく形成されている。更には、身体の動きへの追従性の観点からは、肉厚隣接部４４は、その厚みが、第一領域４１Ｆの厚み及び第二領域４１Ｒの厚みと同じか小さくなっていることが好ましい。尚、身体の動きに対し、繰り返し変形した際の吸収性コア４１の強度の観点から、肉厚隣接部４４は、その厚みが、第一領域４１Ｆの厚み及び第二領域４１Ｒの厚みより大きくなっていてもよい。
肉厚隣接部４４の厚みは、好ましくは０．５ｍｍ以上、より好ましくは１．０ｍｍ以上であり、また、好ましくは１０．０ｍｍ以下、より好ましくは７．０ｍｍ以下であり、また、好ましくは０．５ｍｍ以上１０．０ｍｍ以下、より好ましくは１．０ｍｍ以上７．０ｍｍ以下である。
肉厚隣接部４４の厚みは、上述した吸収性コア４１の各部の厚みの測定方法に基づいて測定される。
【００４７】
ナプキン１では、肉厚隣接部４４は、その坪量が、吸収性コア４１の肉厚部４２の坪量より小さく、且つ、肉厚境界溝部４３の坪量よりも大きく形成されている。更には、身体の動きへの追従性の観点からは、肉厚隣接部４４は、その坪量が、吸収性コア４１における第一領域４１Ｆの坪量及び第二領域４１Ｒの坪量と同じか小さくなっていることが好ましい。尚、身体の動きに対し、繰り返し変形した際の吸収性コア４１の強度の観点から、肉厚隣接部４４は、その坪量が、第一領域４１Ｆの坪量及び第二領域４１Ｒの坪量よりも大きくなっていてもよい。ここで、第一領域４１Ｆの坪量及び第二領域４１Ｒの坪量とは、溝部４５を有する場合には、溝部４５を除いた部分の坪量を意味する。肉厚隣接部４４の坪量は、好ましくは２０ｇ／ｍ２以上、より好ましくは５０ｇ／ｍ２以上であり、そして、好ましくは８００ｇ／ｍ２以下、より好ましくは７００ｇ／ｍ２以下であり、具体的には、好ましくは２０ｇ／ｍ２以上８００ｇ／ｍ２以下、より好ましくは５０ｇ／ｍ２以上７００ｇ／ｍ２以下である。尚、肉厚隣接部４４の坪量は、上述した吸収性コア４１の各部の厚みの測定方法で説明したように切り出した肉厚隣接部４４のサンプルの質量を、そのサンプルの肌対向面側の面の面積で除して求める。
【００４８】
ナプキン１では、吸収性コア４１における第一領域４１Ｆ及び第二領域４１Ｒは、それぞれ、図２に示すように、相対的に坪量が小さい溝部４５と相対的に坪量が大きい小吸収部４６とを有している。好適には、溝部４５は、縦方向Ｘに延びる縦溝４５Ｘと、横方向Ｙに延びる横溝４５Ｙとを有している。そして、縦方向Ｘに延びる縦溝４５Ｘは、横方向Ｙに一定の間隔を空けて配され、横方向Ｙに延びる横溝４５Ｙは、縦方向Ｘに一定の間隔を空けて配されている。小吸収部４６は、縦溝４５Ｘ及び横溝４５Ｙで区画された格子の目の位置に配されている。
【００４９】
ナプキン１では、上述した第一領域４１Ｆ及び第二領域４１Ｒの厚み及び坪量とは、小吸収部４６の厚み及び坪量を意味する。縦溝４５Ｘの底部を構成する吸収性コア４１の形成材料の坪量は、ナプキン１が身体の形状に沿って３次元的にフィットし易くなる観点から、吸収性コア４１における第一領域４１Ｆ及び第二領域４１Ｒの坪量より低いことが好ましい。また、横方向Ｙに延びる横溝４５Ｙの底部を構成する吸収性コア４１の形成材料の坪量は、ナプキン１が身体の形状に沿って３次元的にフィットし易くなる観点から、吸収性コア４１における第一領域４１Ｆ及び第二領域４１Ｒの坪量より低いことが好ましい。ナプキン１が身体の形状に沿って更にフィットし易くなる観点から、縦溝４５Ｘの坪量及び横溝４５Ｙの坪量が、吸収性コア４１における第一領域４１Ｆ及び第二領域４１Ｒの坪量より低いことが好ましい。
【００５０】
ナプキン１では、第一領域４１Ｆ及び第二領域４１Ｒに溝部４５及び小吸収部４６を有し、中間領域４１Ｍに肉厚部４２、肉厚境界溝部４３及び肉厚隣接部４４を有する吸収性コア４１は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００５１】
上述したナプキン１の吸収性コア４１は、例えば、図５（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００５２】
また、図５（ａ）に示すように、１個の集積用凹部５５の底面５６の一部には、吸収性コア４１の中間領域４１Ｍを形成するための１つの凹部５６ｂが形成されている。また、凹部５６ｂには、その底面に、肉厚部４２と肉厚隣接部４４とを区分する肉厚境界溝部４３を形成するための第１難通気性部材５７が配置されている。第１難通気性部材５７は、肉厚境界溝部４３に対応する位置に配され、凹部５６ｂの底面から突出するように固定されている。また、凹部５６ｂに隣接する回転方向Ｒの上流側領域及び下流側領域の底面５６には、溝部４５を形成するための第２難通気性部材５８が配置されている。第２難通気性部材５８は、縦溝４５Ｘ及び横溝４５Ｙに対応する位置に配され、集積用凹部５５の底面５６から突出するように固定されている。第１難通気性部材５７及び第２難通気性部材５８は、非通気性部材であっても良く、例えば金属やプラスチック、セラミック等からなる。
【００５３】
積繊ドラムを備えた公知の積繊装置と同様に、集積用凹部５５の底面から吸引しつつ、ダクト内に、吸水性ポリマーとパルプ繊維とを混合したコア材料を供給することによって、図５（ｂ）に示すように、コア材料が集積用凹部５５内に所定形状に堆積する。その堆積物４０を、集積用凹部５５から離型することで、吸収性コア４１の前駆体が得られる。吸収性コア４１の前駆体は、コアラップシート（不図示）で被覆された後に、ロータリーカッター等でカットされ、搬送方向にベルトコンベア等の搬送手段によって搬送される。このようにして吸収性コア４１が得られる。このようにして得られたコアラップシート（不図示）で被覆された吸収性コア４１は、一対のロール間に単回又は複数回通すこと等により、全体又は部分的に加圧し適度に圧縮させる。これにより、凹部５６ｂに堆積した部分が、坪量及び厚みともに相対的に大きい肉厚部４２となる。同様に、凹部５６ｂに隣接する上流側領域及び下流側領域に堆積したコア材料からなる部分が、坪量が相対的に小さい吸収性コア４１における第一領域４１Ｆ及び第二領域４１Ｒとなる。また、凹部５６ｂの第１難通気性部材５７上に堆積したコア材料からなる部分が、第一領域４１Ｆの坪量及び第二領域４１Ｒの坪量よりも相対的に小さい肉厚境界溝部４３となる。凹部５６ｂに隣接する上流側領域及び下流側領域の第２難通気性部材５８上に堆積したコア材料からなる部分が、小吸収部４６の坪量よりも相対的に小さい溝部４５となる。
【００５４】
肌対向面を形成する液透過性の肌側シート２は、吸収性コア４１における肉厚部４２の境界部ＢＬに対応する位置に、肌側シート２が屈曲される起因となる可撓軸ＫＬを有している。可撓軸ＫＬは、肌側シート２が屈曲され易くなっている部分であり、例えば、肌側シート２における柔軟性が、隣接する部分より高く形成されている。肌側シート２が、可撓軸ＫＬで、屈曲され易くなっていることにより、肌側シート２は、吸収性コア４１における境界部ＢＬに対応する位置において、吸収性コア４１との隙間が発生しにくくなり、肌側シートの表面を流れる液流れを防止し、十分な吸収性能が発現できる。肌側シート２は、不織布で形成されている。
【００５５】
ナプキン１では、肌側シート２は、図６及び図７に示すように、肌対向面を形成する第１層２１と吸収体４側に配される第２層２２とが積層されて部分的に接合された不織布である。第１層２１は、実質的に熱収縮しない繊維又は該熱収縮性繊維の収縮開始温度では実質的に熱収縮しない繊維を含んでいる。第２層２２は、熱収縮性繊維を含んでいる。ナプキン１では、肌側シート２は、第１層２１及び第２層２２を積層して部分的に接合した後、熱風処理により、第２層２２の熱収縮性繊維を収縮させて得られた凹凸構造のシートである。この凹凸構造のシートにおいては、第１層２１が第２層２２とのシート接合部２３以外の部分において着用者の肌側に向かって突出して肌側突出部２４を形成している一方、該シート接合部２３が凹部を形成している。このように形成された凹凸構造のシートは、肌側突出部２４の内部が構成繊維で満たされており中実となっている。そして、肌側突出部２４，２４どうしの間が凹部（シート接合部２３）となっている。凹凸構造のシートを構成する第２層２２の熱収縮性繊維は、潜在捲縮性繊維が好ましい。このような凹凸構造のシートは、特開２００２−１８７２２８号公報、特開２００３−２５０８３６号公報、特開２００４−１６６８４９号公報、特開２００４−２０２８９０号公報、特開２００９−１５３７３４号公報等に記載の方法により製造できる。
【００５６】
尚、潜在捲縮性繊維としては、熱処理によりコイル状の捲縮を発現するもので、例えば、収縮率の異なる２種類の熱可塑性ポリマー材料を成分とする偏心芯鞘型複合繊維又はサイド・バイ・サイド型複合繊維からなる。その例としては、特開平９−２９６３２５号公報や特許２７５９３３１号公報に記載のものが挙げられる。凹凸構造のシートを構成する第１層２１の熱収縮しない繊維としては、熱可塑性ポリマー材料からなる繊維が好適に用いられる。熱可塑性ポリマー材料としては、ポリエチレンやポリプロピレン等のポリオレフィン、ポリエチレンテレフタレート等のポリエステル、ポリアミド等が挙げられる。また、これらの熱可塑性ポリマー材料の組み合わせからなる芯鞘型やサイド・バイ・サイド型の複合繊維も用いることができる。
【００５７】
図６及び図７に示す肌側シート２においては、第１層２１と第２層２２との積層体の部分的な接合が、例えば熱エンボス或いは超音波エンボスにより形成されている。その為、凹部を形成するシート接合部２３において、不織布の構成繊維が圧縮され、構成繊維の密度がシート接合部２３の周囲の密度よりも高くなっている。また、凹部（シート接合部２３）の繊維密度が、肌側突出部２４の頂部の繊維密度よりも高くなっている。また、不織布の厚みが、凹部（シート接合部２３）において薄くなっている。
【００５８】
また、図６及び図７に示す肌側シート２においては、吸収体４側に配される第２層２２の繊維密度が、肌対向面を形成する第１層２１の繊維密度よりも高くなっている。第２層２２の繊維密度は、好ましくは０．０３ｇ／ｃｍ３以上０．２ｇ／ｃｍ３以下、より好ましくは０．０４ｇ／ｃｍ３以上０．１ｇ／ｃｍ３以下である。第１層２１の繊維密度は、好ましくは０．００１ｇ／ｃｍ３以上０．０５ｇ／ｃｍ３以下、より好ましくは０．０１ｇ／ｃｍ３以上０．０３ｇ／ｃｍ３以下である。第１層２１及び第２層２２の繊維密度は、特開２００３−２５０８３６号公報に記載の繊維密度の測定法により測定できる。
【００５９】
また、図６及び図７に示す肌側シート２においては、第１層２１と第２層２２とのシート接合部２３が所定のパターンで分散配置されており、肌側突出部２４は、肌側シート２を平面視して、散点状に配されている。隣り合うシート接合部２３どうしの間隔は、好ましくは２ｍｍ以上２０ｍｍ以下、より好ましくは３ｍｍ以上１５ｍｍ以下である。
【００６０】
また、図７に示す肌側シート２においては、分散配置された複数のシート接合部２３において、隣り合うシート接合部２３，２３どうしを繋いだ仮想線上に可撓軸ＫＬが延びている。このように可撓軸ＫＬが隣り合うシート接合部２３，２３どうしを繋いで延びているので、図７に示す肌側シート２においては、可撓軸ＫＬは、不織布の厚みが、周囲の厚みよりも薄くなっている部分（シート接合部２３）を繋いだ仮想線上に延びている。また、可撓軸ＫＬは、不織布の構成繊維の密度がシート接合部２３の周囲の密度よりも高くなっている部分（シート接合部２３）を繋いだ仮想線上に延びている。可撓軸ＫＬは、ナプキン１を図１に示すように平面視して、複数形成されている。可撓軸ＫＬは、ナプキン１では、図８に示すように、縦方向Ｘに延びる中心線ＣＬに対して、前方区域Ａの右側から後方区域Ｃの左側に延びて中心線ＣＬになす角α１で交差する複数の第１可撓軸ＫＬ１と、前方区域Ａの左側から後方区域Ｃの右側に延びて中心線ＣＬになす角α２で交差する複数の第２可撓軸ＫＬ２とを有している。
【００６１】
第１可撓軸ＫＬ１と中心線ＣＬとのなす角α１は、好ましくは２０度以上、より好ましくは２５度以上であり、そして、好ましくは７０度以下、より好ましくは６０度以下であり、具体的には、好ましくは２０度以上７０度以下、より好ましくは２５度以上６０度以下である。
また、ナプキン１では、複数の第１可撓軸ＫＬ１が等間隔を開けて配されており、隣り合う第１可撓軸ＫＬ１，ＫＬ１どうしの間隔は、好ましくは３ｍｍ以上、より好ましくは４ｍｍ以上であり、そして、好ましくは１５ｍｍ以下、より好ましくは１２ｍｍ以下であり、具体的には、好ましくは３ｍｍ以上１５ｍｍ以下、より好ましくは４ｍｍ以上１２ｍｍ以下である。
【００６２】
第２可撓軸ＫＬ２と中心線ＣＬとのなす角α２は、好ましくは２０度以上、より好ましくは２５度以上であり、そして、好ましくは７０度以下、より好ましくは６０度以下であり、具体的には、好ましくは２０度以上７０度以下、より好ましくは２５度以上６０度以下である。
また、ナプキン１では、複数の第２可撓軸ＫＬ２が等間隔を開けて配されており、隣り合う第２可撓軸ＫＬ２，ＫＬ２どうしの間隔は、好ましくは３ｍｍ以上、より好ましくは４ｍｍ以上であり、そして、好ましくは１５ｍｍ以下、より好ましくは１２ｍｍ以下であり、具体的には、好ましくは３ｍｍ以上１５ｍｍ以下、より好ましくは４ｍｍ以上１２ｍｍ以下である。
【００６３】
上述したように、ナプキン１では、肌側シート２は、吸収性コア４１における肉厚部４２の境界部ＢＬに対応する位置に可撓軸ＫＬを有している。また、ナプキン１では、肌側シート２の可撓軸ＫＬは、ナプキン１を平面視して、複数配されている。その為、ナプキン１では、ナプキン１を図８に示すように平面視して、複数の可撓軸ＫＬが吸収性コア４１の境界部ＢＬと交差している。言い換えれば、ナプキン１では、複数の可撓軸ＫＬが、前方側凸部４２２を形成する両側辺４２２ｓ，４２２ｓと交差しており、後方側凸部４２３を形成する両側辺４２３ｓ，４２３ｓと交差している。また、ナプキン１では、上述のように、境界部ＢＬに沿って肉厚境界溝部４３が延びており、複数の可撓軸ＫＬが吸収性コア４１の肉厚境界溝部４３と交差している。具体的には、複数の第１可撓軸ＫＬ１及び複数の第２可撓軸ＫＬ２が、肉厚部４２を構成する前方側凸部４２２を形成する両側辺４２２ｓ，４２２ｓに沿って延在する前方肉厚境界溝部４３ａと交差しており、後方側凸部４２３を形成する両側辺４２３ｓ，４２３ｓに沿って延在する後方肉厚境界溝部４３ｃとも交差している。その為、ナプキン１の着用中に、吸収性コア４１の境界部ＢＬで肌側シート２が複数の可撓軸ＫＬを起点に立体的に屈曲され易くなり、吸収性コア４１の境界部ＢＬで吸収性コア４１と肌側シート２との間に隙間が生じ難く、肌側シート２の表面を流れる液流れを防止でき、十分な吸収性能が発現できる。
【００６４】
上述した本実施形態のナプキン１の各構成部材の形成材料について説明する。
非肌側シート３は、難透液性又は、液不透過性を有し、熱可塑性合成樹脂を含む素材で構成され、例えば、合成樹脂製フィルム、合成樹脂製フィルムと不織布の積層体や、スパンボンド−メルトブローン−スパンボンド積層繊維不織布、エアースルー繊維不織布、ポイントボンド繊維不織布、スパンボンド繊維不織布等の耐水圧が高い撥水性の不織布を用いることができるが、これらに限定されるものではなく、当該技術分野において従来用いられてきたものと同様のものを特に制限なく用いることができる。非肌側シート３は、例えば、坪量が１０〜５０ｇ／ｍ２であり、厚さが、８〜２００μｍであることが好ましい。
【００６５】
吸収性コア４１のコア材料は、パルプ繊維等の繊維材料からなる繊維集合体を含んでなる。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。
また、吸収性コア４１には吸水性ポリマーが含有されていてもよい。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。吸水性ポリマーが含有されることで、より安定的に大量の血液などの排泄液を素早く吸収し、保持することができる。
また、吸収性コア４１には、消臭剤や抗菌剤等を必要に応じて配合しても良い。
【００６６】
吸収性コア４１を被覆するコアラップシート（不図示）としては、ティッシュペーパー、透水性の不織布等が挙げられる。吸収体４は、吸収性コア４１の上下両面をコアラップシート（不図示）で被覆して形成されている。コアラップシート（不図示）は、吸収性コア４１の形成材料の漏れ出しを防止したり、吸収性コア４１の保形性を高めたりする目的で使用される。吸収性コア４１の肌対向面側を被覆するコアラップシート（不図示）と肌側シート２との間、及び吸収性コア４１の非肌対向面側を被覆するコアラップシート（不図示）と非肌側シート３との間は、ドット、スパイラル、ストライプ等のパターン塗工された接着剤により互いに接合されていることが好ましい。
【００６７】
サイドシート５としては、当該技術分野において従来用いられている各種のものを特に制限なく用いることができ、例えば、液不透過性又は撥水性の樹脂フィルム、樹脂フィルムと不織布との積層体等を用いることができる。その他の材料としては、例えば、スパンボンド不織布、スパンボンド不織布（Ｓ）とメルトブロー不織布（Ｍ）とが複合化されたシート（例えばＳＭ、ＳＭＳ、ＳＭＭＳ等）、ヒートロール不織布、エアースルー不織布等の撥水性（疎水性）不織布が挙げられる。
【００６８】
サイドシート５と肌側シート２とを接合する接合部６は熱シール加工により常法に従って形成することができる。
線状圧搾溝７（第１横圧搾溝７１及び縦圧搾溝７３）は、熱を伴うか又は伴わない圧搾加工（いわゆるエンボス加工）、或いは超音波エンボス等のエンボス加工により常法に従って形成することができる。
【００６９】
上述した本実施形態のナプキン１の作用効果について説明する。
ナプキン１は、図１及び図２に示すように、吸収性コア４１における中間領域４１Ｍに中高部としての肉厚部４２を有し、肉厚部４２は、図２に示すように、吸収性コア４１を平面視して、吸収性コア４１の横方向Ｙにおける長さが最大となる最大幅部を有し、該最大幅部の横方向Ｙの長さが、吸収性コア４１の中間領域４１Ｍの横方向Ｙの長さと同じである。その為、吸収性物品であるナプキン１が多少ズレた状態で着用されても、十分な吸収性能が発現できる。また、ナプキン１では、図１及び図８に示すように、肌側シート２が、吸収性コア４１における肉厚部４２の境界部ＢＬに対応する位置に可撓軸ＫＬを有している。その為、ナプキン１の着用中に、吸収性コア４１の境界部ＢＬで肌側シート２が可撓軸ＫＬを起点に屈曲され易くなることで、吸収性コア４１の境界部ＢＬで吸収性コア４１と肌側シート２との間に隙間が生じ難く、肌側シート２の表面を流れる液流れを防止でき、十分な吸収性能が発現できる。また、ナプキン１では、複数の可撓軸ＫＬが吸収性コア４１の肉厚境界溝部４３と交差している。その為、上記効果を一層奏することができる。
【００７０】
また、ナプキン１では、図２に示すように、前記最大幅部が吸収性コア４１の縦方向Ｘに沿う両側縁に従って縦方向Ｘに所定の長さに延在して形成される肉厚中央部４２１を有している。その為、排泄液の吸収量を高めることができるとともに、吸収性物品であるナプキン１が多少ズレた状態で着用された場合や、着用時の身体の動作や就寝時の身体の姿勢などに対しても、十分な吸収性能が発現できる。また、肉厚部４２は、図２に示すように平面視して、肉厚中央部４２１と、肉厚中央部４２１の縦方向Ｘの前端部から第一領域４１Ｆ側に向かって凸の前方側凸部４２２、及び肉厚中央部４２１の縦方向Ｘの後端部から第二領域４１Ｒ側に向かって凸の後方側凸部４２３を有している。その為、ナプキン１が多少ズレた状態で着用されても、肉厚部４２が前方側凸部４２２及び後方側凸部４２３を有していれば、両大腿部からナプキン１の横方向Ｙ内側への力に対し、前方側凸部４２２及び後方側凸部４２３が変形することで、肉厚部４２が身体形状への追従性に優れ、着用者に違和感を与え難くなっている。特に、ナプキン１では、中間領域４１Ｍの第一領域４１Ｆ側において、肉厚部４２の輪郭辺縁の位置に配される境界部ＢＬが、直線形状に延びており、中間領域４１Ｍの第二領域４１Ｒ側において、肉厚部４２の輪郭周辺の位置に配される境界部ＢＬが、直線形状に延びている。その為、肉厚部４２が身体形状への追従性に更に優れ、着用者に違和感を更に与え難くなっている。
【００７１】
また、ナプキン１は、図２に示すように、吸収性コア４１における中間領域４１Ｍに中高部としての肉厚部４２と、肉厚部４２以外の部分を区画する肉厚境界溝部４３を有している。肉厚境界溝部４３の前方肉厚境界溝部４３ａと後方肉厚境界溝部４３ｃは、吸収性コア４１の横方向Ｙの全長（全幅）に亘り形成されている。このため、脚部からの吸収性コア４１の幅方向の内側に働く力に対し、ナプキン１の縦方向に縦シワが生じ難く、ナプキン１が身体の形状に沿って３次元的にフィットし易くなる。また、図８に示すように、可撓軸ＫＬの第１可撓軸ＫＬ１及び第２可撓軸ＫＬ２が肉厚部４２を構成する前方側凸部４２２を形成する両側辺４２２ｓ，４２２ｓに沿って延在する前方肉厚境界溝部４３ａと交差しており、可撓軸ＫＬの第１可撓軸ＫＬ１及び第２可撓軸ＫＬ２が後方側凸部４２３を形成する両側辺４２３ｓ，４２３ｓに沿って延在する後方肉厚境界溝部４３ｃとも交差している。その為、ナプキン１の着用中に、吸収性コア４１の境界部ＢＬで肌側シート２が可撓軸ＫＬを起点に更に屈曲され易く、吸収性コア４１の境界部ＢＬで吸収性コア４１と肌側シート２との間に隙間が更に生じ難く、肌側シート２の表面を流れる液流れを防止でき、十分な吸収性能が発現できる。
【００７２】
また、ナプキン１では、図７及び８に示すように、肌側シート２の可撓軸ＫＬは、不織布の厚みが、周囲の厚みよりも薄くなっている部分（シート接合部２３）を繋いだ仮想線上に延びている。その為、ナプキン１の着用中に、吸収性コア４１の境界部ＢＬで肌側シート２が可撓軸ＫＬを起点に更に屈曲され易く、吸収性コア４１の境界部ＢＬで吸収性コア４１と肌側シート２との間に隙間が更に生じ難くなっている。また、可撓軸ＫＬは、不織布の構成繊維の密度がシート接合部２３の周囲の密度よりも高くなっている部分（シート接合部２３）を繋いだ仮想線上に延びている。その為、上記効果を一層奏することができる。
【００７３】
また、ナプキン１では、凹凸構造の肌側シート２の凹部（シート接合部２３）の繊維密度が、肌側突出部２４の頂部の繊維密度よりも高くなっている。その為、体液を吸収体４側に引き込み易く、肌側シート２の表面を流れる液流れを防止でき、十分な吸収性能が発現できる。また、肌側シート２の肌側突出部２４の内部が構成繊維で満たされており中実となっているので、上記効果を一層奏することができる。また、ナプキン１の肌側シート２においては、吸収体４側に配される第２層２２の繊維密度が、肌対向面を形成する第１層２１の繊維密度よりも高くなっている。その為、更に体液を吸収体４側に引き込み易く、肌側シート２の表面を流れる液流れを防止でき、十分な吸収性能が発現できる。また、凹凸構造の肌側シート２の肌側突出部２４が散点状に配されているので、使用時の肌触りが良く、肌側シート２の表面を流れる液流れを、より効果的に防止できる。
【００７４】
上記効果を一層奏する観点から、肌側シート２の肌側突出部２４は、その頂部における高さｈ（図６参照）が、吸収性コア４１における肉厚部４２と第一領域４１Ｆ又は第二領域４１Ｒとによる段差ｈ２（図３参照）以上であることが好ましく、段差ｈ２（図３参照）よりも大きいことが更に好ましい。このような関係にあると、吸収性コア４１における肉厚部４２の輪郭周辺に位置する境界部ＢＬ部分において、可撓軸ＫＬを起点に屈曲され肌側シート２上の肌側突出部２４が傾いて配置され易く、傾いた肌側突出部２４と傾いていない肌側突出部２４が接近することで、肌側シート２の表面を流れる液流れを防止でき、かつ、体液を吸収体４側に引き込み易くなることで、十分な吸収性能が発現できる。肌側シート２の肌側突出部２４は、その頂部における高さｈは、好ましくは１ｍｍ以上７ｍｍ以下、より好ましくは１ｍｍ以上６．５ｍｍ以下である。吸収性コア４１における肉厚部４２と第一領域４１Ｆ又は第二領域４１Ｒとによる段差ｈ２は、好ましくは１ｍｍ以上７ｍｍ以下、より好ましくは１ｍｍ以上６ｍｍ以下である。肌側シート２の肌側突出部２４の高さｈは、肌側シート２に０．０５ｋＰａの荷重を加えた状態で、厚み測定器を用いて測定する。厚み測定器にはオムロン社製のレーザー変位計を用いる。高さｈの測定は、厚みを１０点測定し、それらの平均値を算出して高さｈとする。段差ｈ２は、上述した吸収性コア４１の各部の厚みの測定方法により求めることができる。
【００７５】
また、ナプキン１では、図２に示すように、吸収性コア４１の肉厚部４２が前方側凸部４２２及び後方側凸部４２３を有している。その為、ナプキン１の着用中に、吸収性コア４１の境界部ＢＬで吸収性コア４１と肌側シート２との間に隙間が更に生じ難く、肌側シート２の表面を流れる液流れを防止でき、十分な吸収性能が発現できるとともに、更に着用感を向上させながら、より肌側シート２の表面を流れる液流れを防止させる観点から、ナプキン１を平面視して、前方側凸部４２２の頂部４２２ｔ又は後方側凸部４２３の頂部４２３ｔに対応する位置に、凹凸構造の肌側シート２の肌側突出部２４が配されていることが好ましく、前方側凸部４２２の頂部４２２ｔ及び後方側凸部４２３の頂部４２３ｔに対応する位置に、凹凸構造の肌側シート２の肌側突出部２４が配されていることが特に好ましい。
【００７６】
また、ナプキン１は、図２に示すように、吸収性コア４１における中間領域４１Ｍに、肉厚部４２を構成する前方側凸部４２２に隣接する第一領域４１Ｆ側に配された前方肉厚隣接部４４ａと、肉厚部４２を構成する後方側凸部４２３に隣接する第二領域４１Ｒ側に配された後方肉厚隣接部４４ｃとを有している。そして、肉厚隣接部４４の厚みが、吸収性コア４１における第一領域４１Ｆの厚み及び第二領域４１Ｒの厚み以下の大きさであり、且つ、肉厚部４２の厚みよりも小さく形成されている。その為、ナプキン１が多少ズレた状態で着用されても、着用者の肌との間に隙間を生じ難く、十分な吸収性能が発現できる。ナプキン１では、肉厚隣接部４４の坪量が、吸収性コア４１における第一領域４１Ｆの坪量及び第二領域４１Ｒの坪量より小さく、且つ、肉厚境界溝部４３の坪量よりも大きく形成されているので、前記効果のうち、着用者への違和感を低減する効果をより一層奏することができる。
【００７７】
尚、特にナプキン１を長時間にわたり装着する場合などで、身体の動きにより、ナプキン１が繰り返し変形することで、肉厚隣接部４４が破損して吸収性能を損なうおそれがある場合には、肉厚隣接部４４の厚みは、吸収性コア４１における第一領域４１Ｆ及び第二領域４１Ｒの厚みより大きくなっていてもよい。
更に、身体の動きにより、繰り返し変形することで、肉厚隣接部４４が破損して吸収性能を損なう場合には、肉厚隣接部４４の坪量は、吸収性コア４１における第一領域４１Ｆ及び第二領域４１Ｒの坪量より大きくなっていてもよい。
【００７８】
以上、本発明をその好ましい実施形態に基づき説明したが、本発明の吸収性物品は本実施形態のナプキン１に何ら制限されるものではなく、適宜変更可能である。
【００７９】
例えば、ナプキン１の肌側シート２は、図６及び図７に示すように、第１層２１と第２層２２とのシート接合部２３が所定のパターンで分散配置されており、肌側突出部２４が、肌側シート２を平面視して、散点状に配されているが、肌側突出部２４が散点状に配されている形態に限られるものではない。例えば、第１層２１と第２層２２とのシート接合部２３を縦方向Ｘに連続して延ばし、縦方向Ｘに連続して延びる該シート接合部２３を横方向Ｙに間欠的に配置することによって、第１層２１及び第２層２２の積層体を部分的に接合した後、熱風処理により、第２層２２の熱収縮性繊維を収縮させてもよい。このようにして得られた凹凸構造のシートは、一方向である縦方向Ｘに帯状に連続して延びる肌側突出部２４が横方向Ｙに間欠的に配された凹凸構造のシートとなる。縦方向Ｘに連続して延びる複数の肌側突出部２４を有する肌側シート２を用いれば、吸収性コア４１における肉厚部４２の輪郭辺縁の位置の境界部ＢＬに対応する位置に、縦方向Ｘに延びるシート接合部２３上に延びる可撓軸ＫＬを複数有ることになり、ナプキン１の着用中に、吸収性コア４１の境界部ＢＬで縦方向Ｘに帯状に連続して延びる肌側突出部２４同士が接触し合うことから、肌側シート２の表面を流れる液流れを防止でき、十分な吸収性能が発現できるとともに、体液の横漏れを防止できる。
【００８０】
また、図６に示すナプキン１の凹凸構造の肌側シート２は、実質的に熱収縮しない繊維又は該熱収縮性繊維の収縮開始温度では実質的に熱収縮しない繊維を含む第１層２１及び熱収縮性繊維を含む第２層２２を積層して部分的に接合した後、熱風処理により、第２層２２の熱収縮性繊維を収縮させて得られた複数の肌側突出部２４及びシート接合部２３（凹部）を有する凹凸構造の不織布であるが、他の方法により形成された凹凸構造の不織布を用いてもよい。例えば、凹凸構造のシートが、熱伸長性繊維を有している図９（ａ）及び（ｂ）に示す不織布であってもよい。熱伸長性繊維を有する凹凸構造の不織布は、加熱によって繊維長がのびる熱伸長性繊維を含むウエブをエンボス加工して圧着部を形成し、次いで熱風によるエアースルー加工を行い熱伸長性繊維を伸長させるとともに熱伸長性繊維どうしの交点を熱融着によって接合することによって製造できる。このような熱伸長性繊維を有する凹凸構造の不織布は、前記圧着部２３ａが凹部となり、隣り合う該圧着部２３ａ，２３ａどうしの間が肌側突出部２４ａとなっている。熱伸長性繊維を有する凹凸構造の不織布は、図９（ａ）及び（ｂ）に示すように、可撓軸ＫＬが、隣り合う前記圧着部どうしを繋いで形成される。このような熱伸長性繊維を有する凹凸構造の肌側シート２を用いても、上述した効果と同様な効果が得られる。熱伸長性繊維としては、特許第４１３１８５２号公報、特開２００５−３５０８３６号公報、特開２００７−３０３０３５号公報、特開２００７−２０４８９９号公報、特開２００７−２０４９０１号公報及び特開２００７−２０４９０２号公報等に記載の繊維を用いることができる。
【００８１】
また、ナプキン１の凹凸構造の肌側シート２に用いられる前記他の方法により形成される凹凸構造の不織布としては、図６に示すような肌側突出部２４の内部が構成繊維で満たされた中実の不織布でなくてもよく、例えば図１０に示す凹凸構造の不織布であってもよい。図１０に示す凹凸構造の肌側シート２は、着用者の肌側に向かって突出し内部空間を有する複数の肌側突出部２４ｂと、非肌側シート３側に向かって突出し内部空間を有する複数の非肌側突出部２５とを有する凹凸構造のシートである。図１０に示す凹凸構造の肌側シート２は、肌側突出部２４ｂ及び非肌側突出部２５を有するシートの形に形成するための熱融着部が無い構成となっている。図１０に示す凹凸構造の肌側シート２は、可撓軸ＫＬが、隣り合う非肌側突出部２５，２５どうしを繋いで形成される。このような図１０に示す凹凸構造の肌側シート２は、原料不織布として、単層構造であるか、又は複数の層が積層されてなる多層構造であるエアースルー不織布を用い、例えば特開２０１３−１３３５７４号公報、特開２０１２−１４９３７０号公報、特開２０１２−１４９３７１号公報等に記載の方法により製造できる。
【００８２】
また、ナプキン１の凹凸構造の肌側シート２は、肌側シート２が屈曲の起因となる可撓軸ＫＬが、熱エンボス或いは超音波エンボスによる隣り合うシート接合部２３，２３どうしを繋いで形成されているが、エンボス以外に、肌側シート２に、スリット、細幅の欠落部、或いは細幅の切れ込み等を形成し、それらを可撓軸ＫＬとしてもよい。また、肌側シート２となる前の原料繊維ウエブに、連続線又は断続線状に、構成材料を減少させた部分を形成した後に不織布に成形し、その部分を可撓軸ＫＬとしてもよい。これらの方法の１つ又は２つ以上を組み合わせて用いてもよい。
【００８３】
ナプキン１の吸収性コア４１における前方側凸部４２２では、図２に示すように、両側辺４２２ｓ，４２２ｓがそれぞれ屈曲せずに、吸収性コア４１の縦方向Ｘに沿う側縁４１ｓから頂部４２２ｔに向かって真っ直ぐに直線状に延びており、前方側凸部４２２の幅ｄが、吸収性コア４１の縦方向Ｘに沿う側縁４１ｓから頂部４２２ｔに向かって連続的に漸減しているが、前方側凸部４２２の幅ｄが単に漸減していれば、段階的に漸減していてもよい。前方側凸部４２２が真っ直ぐに直線状に延びており、前方側凸部４２２の幅ｄが、吸収性コア４１の縦方向Ｘに沿う両側縁４１ｓ，４１ｓから頂部４２２ｔに向かって連続的に漸減していることで、身体へのフィット性の向上に加え、前記積繊装置における前記集積用凹部５５から離型する際の離型性が向上する点から好ましい。後方側凸部４２３も同様である。
【００８４】
また、ナプキン１の第一領域４１Ｆ及び第二領域４１Ｒは、厚みが同じであるが、肉厚部４２の厚みよりも小さければ、互いに異なる厚みであってもよい。また、ナプキン１の第一領域４１Ｆ及び第二領域４１Ｒは、坪量が同じであるが、肉厚部４２の坪量よりも小さければ、互いに異なる坪量であってもよい。また、ナプキン１の第一領域４１Ｆ及び第二領域４１Ｒは、溝部４５及び小吸収部４６を有しているが、有していなくてもよく、異なる形状の溝部４５及び小吸収部４６を有していてもよい。
【００８５】
また、ナプキン１では、排泄対向区域Ｂ内に肉厚部４２を有しているが、排泄対向区域Ｂから前方区域Ａ側又は後方区域Ｃ側の一部にまで延在していてもよい。例えば、前方側凸部４２２が排泄対向区域Ｂの肉厚中央部４２１から前方区域Ａ内にまで延在しており、後方側凸部４２３が排泄対向区域Ｂの肉厚中央部４２１から後方区域Ｃ内にまで延在していてもよい。このように肉厚部４２が排泄対向区域Ｂから前方区域Ａ側又は後方区域Ｃ側にまで延在している場合、肉厚部４２は、前方区域Ａ又は後方区域Ｃにおける肉厚部４２の外周域の部分と比較して厚みが厚くなっている。
【００８６】
また、ナプキン１の吸収性コア４１は、その全体が一体成形されているが、一体成形されていなくてもよい。例えば、吸収性コア４１において、第一領域４１Ｆから第二領域４１Ｒに亘って同じ高さにコア材料で形成しておき、次に、別のコア材料で形成されたものを配置して肉厚部４２を形成してもよい。
【００８７】
また、ナプキン１は、図１に示すように、肌側シート２の肌対向面における縦方向Ｘに沿う両側部に、サイドシート５を配しているが、サイドシート５の自由端部に、縦方向Ｘに伸長状態の弾性部材を配して防漏カフを形成していてもよい。
【００８８】
また、図１に示すナプキン１では、肌側シート２と吸収性コア４１とが圧搾一体化された線状圧搾溝７は、図１に示すように、前方区域Ａの第１横圧搾溝７１、一方の縦圧搾溝７３、後方区域Ｃの第１横圧搾溝７１、及び他方の縦圧搾溝７３から形成されるリング状の全周溝を有する形態であるが、他の形状の形態であってもよい。
【００８９】
また、ナプキン１の吸収性コア４１は、溝部４５を肌対向面側から非肌対向面側に向かって窪むように形成しているが、溝部４５を非肌対向面側から肌対向面側に向かって窪むように形成してもよい。これにより、液拡散性及び液保持性が向上する。
【００９０】
また、ナプキン１においては、ナプキン１の前方区域Ａの大きさと吸収性コア４１の第一領域４１Ｆの大きさとは略一致しているが、一致していなくてもよい。また、ナプキン１の後方区域Ｃの大きさと吸収性コア４１の第二領域４１Ｒの大きさとは略一致しているが、一致していなくてもよい。
【００９１】
また、ナプキン１においては、肉厚部４２が着用者の肌側へ向かって突出する中高部を有する形態であったが、これに代えて、図１１及び図１２に示すように、肉厚部４２が非肌側シート３へ向かって突出する形態、すなわち、着用者の非肌側へ向かって突出する形態であっても良い。この形態は、ナプキン１において、吸収性コア４１の肌対向面と非肌対向面とが逆の配置となるよう反転したものであって、溝部４５や肉厚境界溝部４３等も非肌対向面側に開口を有するものである。着用前には、肉厚部４２は非肌側に突出しているが、着用によって吸収性コア４１に荷重が加わることによって、肉厚部４２の周囲の厚みの薄い部分が非肌対向面側へと折れ曲がり、結果として肉厚部４２が肌側へ突出する中高部と類似した形状に変形する。したがって、上述したナプキン１において述べた諸々の作用効果は、当該形態においても同様に得られる。
なお、当該形態において、溝部４５や肉厚境界溝部４３を肌対向面側に配置しても構わない。
【００９２】
また、本発明の吸収性物品は、生理用ナプキンの他、パンティライナー（おりものシート）、失禁パッド等であってもよい。
【実施例】
【００９３】
以下、本発明を実施例を用いて更に説明するが、本発明は、斯かる実施例によって何ら制限されるものではない。
【００９４】
〔実施例１〕
図１に示すナプキン１と同様の基本構成を有する生理用ナプキンを作製した。吸収性コアとしては、図５に示す積繊ドラム５４を備えた積繊装置によって製造した図２に示す形態の吸収性コアを用いた。吸収性コア４１は、パルプ繊維と吸水性ポリマーの混合積繊体として形成した。吸収性コア４１は、中間領域４１Ｍに中高部としての肉厚部４２を有し、肉厚部４２は、吸収性コア４１の全幅に亘る肉厚中央部４２１と、肉厚中央部４２１の前後端部にそれぞれ前方側凸部４２２及び後方側凸部４２３とを有している。肉厚部４２の厚みは３．５ｍｍであり、第一領域４１Ｆの厚み及び第二領域４１Ｒの厚みは２．３ｍｍであった。肉厚部４２の坪量は３５０ｇ／ｍ２であり、第一領域４１Ｆの坪量及び第二領域４１Ｒの坪量は２５０ｇ／ｍ２であった。厚み及び坪量は上述した方法により測定した。また、肉厚部４２の縦方向Ｘの全長Ｌ２は、吸収性コア４１の縦方向Ｘの全長Ｌ１の６３％であった。
肌側シートとしては、特開２００３−２５０８３６号公報に記載の方法により製造した、図６及び図７に示す、肌対向面を形成する第１層２１と吸収体４側に配される第２層２２とが積層されて部分的に接合された凹凸構造の不織布を用いた。第１層２１は、ポリエチレンテレフタレートを芯、ポリエチレンを鞘とする芯鞘型複合繊維１００％からなり、第２層２２は、潜在螺旋状捲縮性繊維（大和紡績株式会社製のＮＢＦ−Ｌ（Ｖ）繊維、ポリエチレンを芯、ポリプロピレンを鞘とし、加熱により螺旋状の捲縮を発現する芯鞘型の複合繊維である）１００％からなる。各層の重量比（上層／下層）は５０／５０である。上下層間は、分散配置された複数のシート接合部２３で接合されており、第２層２２の潜在捲縮性繊維は、加熱により収縮を発現した、その坪量の合計は７４ｇ／ｍ２であった。  非肌側シートとしては、坪量２５ｇ／ｍ２の非透湿ポリエチレン製フィルムシートを用いた。
次いで、図２に示す形態の吸収性コアを、ティッシュペーパーで被覆して吸収体を形成し、肌側シートと非肌側シートとの間に挟み、実施例１のナプキンとした。吸収体と肌側シートとの間は、及び吸収体と非肌側シートとの間は接着剤を介して接合した。
【００９５】
〔実施例２〕
肌側シートとして、花王株式会社２０１６年製「ロリエ肌キレイガードふつうの日用羽なし」からドライヤーを用いて接着しているホットメルト接着剤を無効化し、分解して取り出した図９に示すような凹凸構造の不織布を用いた。該凹凸構造の不織布は、坪量が３０ｇ／ｍ２であった。該凹凸構造の不織布を肌側シートとして用いて、生理用ナプキンを作製する以外は、実施例１のナプキンと同様にして、実施例２のナプキンを作製した。
【００９６】
〔実施例３〕
肌側シートとして、特開２０１３−１３３５７４号公報の方法により製造した、図１０に示す凹凸構造の不織布を用いた。該凹凸構造の不織布は、上層（２．４ｄｔｅｘの繊維，坪量１０ｇ／ｍ２）と下層（２．９ｄｔｅｘの繊維，坪量１５ｇ／ｍ２）とからなる二層構造の不織布（合計坪量２５ｇ／ｍ２）であった。何れの繊維も、芯がポリエチレンテレフタレート、鞘がポリエチレンからなる芯鞘構造の繊維であった。該凹凸構造の不織布を肌側シートとして用いて、生理用ナプキンを作製する以外は、実施例１のナプキンと同様にして、実施例３のナプキンを作製した。
【００９７】
〔実施例４〕
肌側シートとして、花王株式会社２０１６年製「ロリエ吸水ケアさらピュア少量用」からドライヤーを用いて接着しているホットメルト接着剤を無効化し、分解して取り出した凹凸構造の肌側シートを用いた。該凹凸構造の肌側シートは、坪量が２８ｇ／ｍ２であった。該凹凸構造の肌側シートを用いて、生理用ナプキンを作製する以外は、実施例１のナプキンと同様にして、実施例４のナプキンを作製した。
【００９８】
〔比較例〕
肌側シートとして、フラットな構造の坪量２５ｇ／ｍ２のエアースルー不織布を用いて、生理用ナプキンを作製する以外は、実施例１のナプキンと同様にして、比較例１のナプキンを作製した。
【００９９】
〔評価〕
以下の方法により、実施例１〜４のナプキン及び比較例１のナプキンについて、拡散面積及び吸収量に関して、以下に示す方法により測定し、それらの結果を表１に示した。
【０１００】
〔拡散面積〕
実施例１〜４のナプキン及び比較例１のナプキン上に、アクリル製の液注入プレートを配置して、馬脱繊維血液（株式会社  日本バイオテスト研究所）をビーカーに９ｇ量りとり、１秒で注入した。アクリル製の液注入プレートは、長さ１５０ｍｍ、幅６０ｍｍ、重量６２ｇである。液注入プレートの中央部には、液を注入するための楕円形状の筒が突起している。突起部は、高さ３０ｍｍであり、液注入側の楕円開口径、及び底側の楕円開口径ともに長手方向の最大直径５０ｍｍ、幅方向の最大直径２０ｍｍであった。尚、液注入プレートは、液注入プレートの長手方向をナプキンの横方向に一致させ、液注入プレートの突起部の位置をナプキンの中央の位置に一致するように配置した。９ｇの馬脱繊維血液の注入直後に、液注入プレートの長手方向の両端部上に座圧相当の重り（荷重２０ｇ／ｃｍ２）を配置し、１分経過後に液注入プレートと重りを取り除いた。その後、ナプキンの肌対向面側から肌側シート上の馬脱繊維血液が付着している面積を計測した。計測は画像解析装置としてＮＥＸＵＳ製ＮＥＷＱＵＢＥ（ｖｅｒ．４．２０）を使用し（ＣＣＤカメラやスキャナーを通して）画像を取り込んで実施した。
【０１０１】
〔吸収量〕
上述した拡散面積の測定と同様のアクリル製の液注入プレートを用い、実施例１〜４のナプキン及び比較例１のナプキン上に、アクリル製の液注入プレートを配置して、液注入プレートの長手方向の両端部上に座圧相当の重り（荷重２０ｇ／ｃｍ２）を配置した。馬脱繊維血液（株式会社  日本バイオテスト研究所）を予めビーカーに９ｇ量とり、初期注入として１秒で注入した後、更に、前記馬脱繊維血液を１ｇずつ注入量を増やしていき、ナプキンの幅方向端部を越えて液が染み出す状態をモレ状態とした。初期注入時にモレが発生した場合には、初期注入量を１ｇずつ減らしていく条件で、評価を行い、モレ状態となったところで評価を終了した。モレ状態が生じた際の注入済み量を吸収量として測定した。
【０１０２】
【表１】
2018079307.tif 000003
【０１０３】
表１に示す結果から明らかなように、実施例１〜４のナプキンは、比較例のナプキンに比べ、液体を９ｇ吸収させたときの拡散面積が小さい結果であった。また、実施例１〜４のナプキンは、比較例のナプキンに比べ、モレ状態となるまでの吸収量が多く、モレにくい結果であった。
実施例１〜４のナプキンは、肉厚中央部４２１の前後端部の前方側凸部４２２又は後方側凸部４２３と、肉厚部４２の輪郭周辺の位置の境界部ＢＬに対応する位置に肌側シートが屈曲される起点になる可撓軸を有することで、座圧相当の荷重が加わったとしても、吸収性コアの境界部に肌側シートが沿いやすく、吸収性コアから肌側シートが浮き難いため、液が表面で拡がり難く、またモレ難くなったと考えられる。
【符号の説明】
【０１０４】
１  生理用ナプキン（吸収性物品）
Ａ  前方区域
Ｂ  排泄対向区域
Ｃ  後方区域
２  肌側シート
２１  第１層
２２  第２層
２３  シート接合部
２４  肌側突出部
ＫＬ  可撓軸
３  非肌側シート
４  吸収体
４１  吸収性コア
４１Ｆ  吸収性コアの第一領域
４１Ｍ  吸収性コアの中間領域
４１Ｒ  吸収性コアの第二領域
４２  肉厚部
４２１  肉厚中央部
４２２  前方側凸部
４２３  後方側凸部
４３  肉厚境界溝部
４４  肉厚隣接部
４５  溝部
４６  小吸収部
ＢＬ  肉厚部の輪郭周辺の位置に配される境界部
５  サイドシート
６  接合部
７  線状圧搾溝
【図１】
2018079307.tif 000004
【図２】
2018079307.tif 000005
【図３】
2018079307.tif 000006
【図４】
2018079307.tif 000007
【図５】
2018079307.tif 000008
【図６】
2018079307.tif 000009
【図７】
2018079307.tif 000010
【図８】
2018079307.tif 000011
【図９】
2018079307.tif 000012
【図１０】
2018079307.tif 000013
【図１１】
2018079307.tif 000014
【図１２】
2018079307.tif 000015
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
肌対向面側に配された液透過性の肌側シートと、非肌対向面側に配された液不透過性の非肌側シートと、これら両シート間に配された、着用者の前後方向に対応する縦方向に長い形状の吸収性コアとを備え、前方区域及び後方区域を有する吸収性物品であって、
前記吸収性コアは、前記前方区域側に位置する第一領域及び前記後方区域側に位置する第二領域との間に中間領域を有し、該中間領域には、該第一領域及び該第二領域における厚みよりも、厚みの厚い肉厚部を備えており、
前記肉厚部は、前記吸収性コアを平面視して、該吸収性コアの前記縦方向と直交する横方向における長さが最大となる最大幅部を有し、該最大幅部での横方向の長さが、前記吸収性コアの該横方向の長さと同じであり、
前記吸収性コアは、該吸収性コアにおける前記肉厚部の輪郭周辺の位置に境界部を有し、
前記肌側シートは、前記吸収性コアにおける前記境界部に対応する位置において該肌側シートが屈曲される起因となる可撓軸を有しており、
前記肌側シートの前記可撓軸は、前記吸収性物品を平面視して、複数配されており、複数の該可撓軸が前記吸収性コアの前記境界部と交差している、吸収性物品。
【請求項２】
前記吸収性コアの前記境界部は、前記中間領域に前記肉厚部と該肉厚部以外の部分とを区画する、肉厚境界溝部を有し、
前記肉厚境界溝部は、前記吸収性コアの横方向の全長に亘って配されている、請求項１に記載の吸収性物品。
【請求項３】
前記肌側シートは、不織布で形成されており、
前記可撓軸は、前記不織布の厚みが、周囲の厚みよりも薄くなっている部分を繋いだ仮想線上に延びている、請求項１又は２に記載の吸収性物品。
【請求項４】
前記肌側シートは、肌対向面側に複数の肌側突出部を有する凹凸構造のシートである、請求項１〜３の何れか１項に記載の吸収性物品。
【請求項５】
前記肌側突出部どうしの間の凹部の繊維密度が該肌側突出部の頂部の繊維密度よりも高い、請求項４に記載の吸収性物品。
【請求項６】
前記肌側突出部の頂部における高さが、前記吸収性コアにおける前記肉厚部と前記第一領域又は前記第二領域とによる段差以上である、請求項４又は５に記載の吸収性物品。
【請求項７】
前記肉厚部は、前記吸収性コアを平面視して、該吸収性コアの縦方向に直交する横方向の全長に亘って延在し且つ該吸収性コアの縦方向に沿う両側縁に従って縦方向に所定の長さに延在する肉厚中央部を有しており、該肉厚中央部の縦方向の前端部から前記第一領域側に向かって前記最大幅部よりも横方向の長さが狭くなっている前方側凸部、又は、該肉厚中央部の縦方向の後端部から前記第二領域側に向かって前記最大幅部よりも横方向の長さが狭くなっている後方側凸部を備えている、請求項１〜６の何れか１項に記載の吸収性物品。
【請求項８】
前記肉厚部は、前記前方側凸部及び前記後方側凸部を有している請求項７に記載の吸収性物品。
【請求項９】
前記吸収性コアの前記境界部は、前記中間領域に前記肉厚部と該肉厚部以外の部分との境界を区画する、肉厚境界溝部を有し、
前記吸収性コアは、前記中間領域における前記肉厚部及び前記肉厚境界溝部を除く領域に肉厚隣接部を有し、
前記肉厚隣接部は、その坪量が、前記肉厚部の坪量より小さく、且つ、前記肉厚境界溝部の坪量よりも大きい請求項１〜８の何れか１項に記載の吸収性物品。